(57)【要約】      （修正有）【課題】時分割複信（ＴＤＤ）のＴＤＤ構成を動的に適合させる方法を提供する。【解決手段】移動局は、アップリンクサブフレームと、ダウンリンクサブフレームと、特殊サブフレームとの構成を定義するデフォルトＴＤＤ構成を含むシステム情報ブロック（ＳＩＢ）を受信し、ダウンリンク制御情報および前記移動局に関連付けられた識別子によりスクランブルされている前記ダウンリンク制御情報の誤り検出符号を受信する受信部と、制御部と、を備える。制御部は、識別子によりスクランブルされた誤り検出符号を用いてダウンリンク制御情報の復号が成功した場合、ダウンリンク制御情報に基づき、デフォルトＴＤＤを含む前記複数のＴＤＤ構成からＴＤＤ構成を決定し、決定したＴＤＤ構成を適用する少なくとも１つのサービングセルを決定し、少なくとも１つのサービングセルの無線フレームｎ＋１に決定されたＴＤＤ構成を適用する。【選択図】図９
2018085774.tif 000002
【特許請求の範囲】
【請求項１】
通信システムにおいて、複数の時分割複信（ＴＤＤ）構成のうちの少なくとも１つを用いる移動局であって、
複数のサブフレームを含む無線フレーム内の、アップリンクサブフレームと、ダウンリンクサブフレームと、特殊サブフレームとの構成を定義するデフォルトＴＤＤ構成を含むシステム情報ブロック（ＳＩＢ）を受信し、ダウンリンク制御情報および前記ダウンリンク制御情報の誤り検出符号を受信する受信部であって、前記誤り検出符号は前記移動局に関連付けられた識別子によりスクランブルされている、前記受信部と、
制御部と、を備え、前記制御部は、
前記識別子によりスクランブルされた前記誤り検出符号を用いて前記ダウンリンク制御情報の復号が成功した場合、前記ダウンリンク制御情報に基づき、前記デフォルトＴＤＤを含む前記複数のＴＤＤ構成からＴＤＤ構成を決定し、
前記決定したＴＤＤ構成を適用する少なくとも１つのサービングセルを決定し、
前記少なくとも１つのサービングセルの無線フレームｎ＋１に前記決定されたＴＤＤ構成を適用し、ｎは前記移動局により受信された前記ダウンリンク制御情報と前記誤り検出符号が含まれる無線フレームに対応し、
前記決定されたＴＤＤ構成の適用終了に応じて、前記デフォルトＴＤＤ構成を無線フレームｎ＋１＋ｘに適用し、ｘは正の整数である、
前記移動局。
【請求項２】
ｘは、１、２、および４のいずれかである、
請求項１に記載の移動局。
【請求項３】
前記通信システムがＬＴＥ通信システムであり、前記ダウンリンク制御情報が、フォーマット１Ｃのダウンリンク制御情報である、
請求項１または請求項２に記載の移動局。
【請求項４】
前記ダウンリンク制御情報が、複数の無効な値のうちの１つを有する無効なパラメータを含み、前記制御部は、前記複数の無効な値のうち１つまたは複数に基づいて、前記複数のＴＤＤ構成のうちの１つを示されたＴＤＤ構成として決定し、前記１つまたは複数の無効な値が、
前記示されたＴＤＤ構成、
前記示されたＴＤＤ構成を適用する時点で、前記ＴＤＤ構成が適用される前記サービングセルにおける通信のための前記移動局のＨＡＲＱプロトコルをリセットするように、またはリセットしないように命令するＨＡＲＱ命令、
前記示されたＴＤＤ構成の有効期間パラメータであって、前記移動局が、前記示されたＴＤＤ構成を適用する時間長を前記有効期間パラメータから求め、好ましくは、所定の時間長に関連付けられるインデックスを示す、前記有効期間パラメータ、
前記示されたＴＤＤ構成を適用する時点で、待ち状態のバッファ状態報告手順を取り消すように、または新しいバッファ状態報告手順をトリガーするように命令する、バッファ状態報告手順命令、
前記示されたＴＤＤ構成を適用する時点で、待ち状態のスケジューリング要求手順を取り消すように、または新しいスケジューリング要求手順をトリガーするように命令する、スケジューリング要求手順命令、
前記示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
前記示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを示す、
請求項１から請求項３のいずれかに記載の移動局。
【請求項５】
前記ダウンリンク制御情報が、
前記少なくとも１つのサービングセルに適用される、ＴＤＤ構成フィールドの前記決定されたＴＤＤ構成、
前記決定されたＴＤＤ構成を適用する時点で、前記ＴＤＤ構成が適用される前記サービングセルにおける通信のための前記移動局のＨＡＲＱプロトコルをリセットするように、またはリセットしないように指示する命令を含む、ＨＡＲＱ命令、
前記決定されたＴＤＤ構成を適用する時間長を示す、前記決定されたＴＤＤ構成の有効期間パラメータ、
ビット値を有するパディングフィールドであって、前記パディングフィールドの前記ビット値が事前定義されるビット値と同じであるかの判定に用いられる、前記パディングフィールド、
前記決定されたＴＤＤ構成を適用する時点で、待ち状態のバッファ状態報告手順を取り消すように、または新しいバッファ状態報告手順をトリガーするように命令する、バッファ状態報告手順命令、
前記決定されたＴＤＤ構成を適用する時点で、待ち状態のスケジューリング要求手順を取り消すように、または新しいスケジューリング要求手順をトリガーするように命令する、スケジューリング要求手順命令、
前記決定されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
前記決定されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを含む、
請求項１から請求項４のいずれかに記載の移動局。
【請求項６】
通信システムにおいて、複数の時分割複信（ＴＤＤ）構成のうちの少なくとも１つを用いる移動局によって実行される方法であって、
複数のサブフレームを含む無線フレーム内の、アップリンクサブフレームと、ダウンリンクサブフレームと、特殊サブフレームとの構成を定義するデフォルトＴＤＤ構成を含むシステム情報ブロック（ＳＩＢ）を受信し、ダウンリンク制御情報および前記ダウンリンク制御情報の誤り検出符号を受信する受信ステップであって、前記誤り検出符号は前記移動局に関連付けられた識別子によりスクランブルされている、前記受信ステップと、
制御ステップと、を含み、前記制御ステップは、
前記識別子によりスクランブルされた前記誤り検出符号を用いて前記ダウンリンク制御情報の復号が成功した場合、前記ダウンリンク制御情報に基づき、前記デフォルトＴＤＤを含む前記複数のＴＤＤ構成からＴＤＤ構成を決定し、
前記決定したＴＤＤ構成を適用する少なくとも１つのサービングセルを決定し、
前記少なくとも１つのサービングセルの無線フレームｎ＋１に前記決定されたＴＤＤ構成を適用し、ｎは前記移動局により受信された前記ダウンリンク制御情報と前記誤り検出符号が含まれる無線フレームに対応し、
前記決定されたＴＤＤ構成の適用終了に応じて、前記デフォルトＴＤＤ構成を無線フレームｎ＋１＋ｘに適用し、ｘは正の整数である、
前記方法。
【請求項７】
ｘは、１、２、および４のいずれかである、
請求項６に記載の方法。
【請求項８】
前記通信システムがＬＴＥ通信システムであり、前記ダウンリンク制御情報が、フォーマット１Ｃのダウンリンク制御情報である、
請求項６または請求項７に記載の方法。
【請求項９】
前記ダウンリンク制御情報が、複数の無効な値のうちの１つを有する無効なパラメータを含み、前記制御ステップは、前記複数の無効な値のうち１つまたは複数に基づいて、前記複数のＴＤＤ構成のうちの１つを示されたＴＤＤ構成として決定し、前記１つまたは複数の無効な値が、
前記示されたＴＤＤ構成、
前記示されたＴＤＤ構成を適用する時点で、前記ＴＤＤ構成が適用される前記サービングセルにおける通信のための前記移動局のＨＡＲＱプロトコルをリセットするように、またはリセットしないように命令するＨＡＲＱ命令、
前記示されたＴＤＤ構成の有効期間パラメータであって、前記移動局が、前記示されたＴＤＤ構成を適用する時間長を前記有効期間パラメータから求め、好ましくは、所定の時間長に関連付けられるインデックスを示す、前記有効期間パラメータ、
前記示されたＴＤＤ構成を適用する時点で、待ち状態のバッファ状態報告手順を取り消すように、または新しいバッファ状態報告手順をトリガーするように命令する、バッファ状態報告手順命令、
前記示されたＴＤＤ構成を適用する時点で、待ち状態のスケジューリング要求手順を取り消すように、または新しいスケジューリング要求手順をトリガーするように命令する、スケジューリング要求手順命令、
前記示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
前記示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを示す、
請求項６から請求項８のいずれかに記載の方法。
【請求項１０】
前記ダウンリンク制御情報が、
前記少なくとも１つのサービングセルに適用される、ＴＤＤ構成フィールドの前記決定されたＴＤＤ構成、
前記決定されたＴＤＤ構成を適用する時点で、前記ＴＤＤ構成が適用される前記サービングセルにおける通信のための前記移動局のＨＡＲＱプロトコルをリセットするように、またはリセットしないように指示する命令を含む、ＨＡＲＱ命令、
前記決定されたＴＤＤ構成を適用する時間長を示す、前記決定されたＴＤＤ構成の有効期間パラメータ、
ビット値を有するパディングフィールドであって、前記パディングフィールドの前記ビット値が事前定義されるビット値と同じであるかの判定に用いられる、前記パディングフィールド、
前記決定されたＴＤＤ構成を適用する時点で、待ち状態のバッファ状態報告手順を取り消すように、または新しいバッファ状態報告手順をトリガーするように命令する、バッファ状態報告手順命令、
前記決定されたＴＤＤ構成を適用する時点で、待ち状態のスケジューリング要求手順を取り消すように、または新しいスケジューリング要求手順をトリガーするように命令する、スケジューリング要求手順命令、
前記決定されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
前記決定されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを含む、
請求項６から請求項９のいずれかに記載の方法。
【発明の詳細な説明】
【技術分野】
【０００１】
本発明は、移動局の時分割複信（ＴＤＤ）アップリンク／ダウンリンク構成を示す方法に関する。さらに、本発明は、本明細書に記載されている方法に関与する移動局および基地局を提供する。
【背景技術】
【０００２】
ロングタームエボリューション（ＬＴＥ）
【０００３】
ＷＣＤＭＡ（登録商標）無線アクセス技術をベースとする第３世代の移動通信システム（３Ｇ）は、世界中で広範な規模で配備されつつある。この技術を機能強化または発展・進化させる上での最初のステップとして、高速ダウンリンクパケットアクセス（ＨＳＤＰＡ）と、エンハンストアップリンク（高速アップリンクパケットアクセス（ＨＳＵＰＡ）とも称する）とが導入され、これにより、極めて競争力の高い無線アクセス技術が提供されている。
【０００４】
ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００５】
ＬＴＥ（ロングタームエボリューション）に関する作業項目（ＷＩ）の仕様は、Ｅ−ＵＴＲＡ（Evolved UMTS Terrestrial Radio Access（ＵＴＲＡ）：進化したＵＭＴＳ地上無線アクセス）およびＥ−ＵＴＲＡＮ（Evolved UMTS Terrestrial Radio Access Network（ＵＴＲＡＮ）：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access：シングルキャリア周波数分割多元接続）をベースとする無線アクセスが採用されている。なぜなら、ユーザ機器（ＵＥ）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（多入力多出力）チャネル伝送技術）が採用され、高効率の制御シグナリング構造が達成されている。
【０００６】
ＬＴＥのアーキテクチャ
【０００７】
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ｅＮｏｄｅＢは、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（ＰＨＹ）レイヤ、メディアアクセス制御（ＭＡＣ）レイヤ、無線リンク制御（ＲＬＣ）レイヤ、およびパケットデータ制御プロトコル（ＰＤＣＰ）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号化、ダウンリンク／アップリンクのユーザプレーンパケットヘッダの圧縮／復元など、多くの機能を実行する。複数のｅＮｏｄｅＢは、Ｘ２インタフェースによって互いに接続されている。
【０００８】
また、複数のｅＮｏｄｅＢは、Ｓ１インタフェースによってＥＰＣ（Evolved Packet Core：進化したパケットコア）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００９】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラの有効化／無効化プロセスに関与し、さらには、最初のアタッチ時と、コアネットワーク（ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥにおいて終端され、ＭＭＥは、一時的なＩＤを生成してユーザ機器に割り当てる役割も担う。ＭＭＥは、サービスプロバイダの公衆陸上移動網（ＰＬＭＮ：Public Land Mobile Network）に入るためのユーザ機器の認証をチェックし、ユーザ機器のローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【００１０】
ＬＴＥ（リリース８）におけるコンポーネントキャリアの構造
【００１１】
2018085774.tif 000003
【００１２】
2018085774.tif 000004
【００１３】
2018085774.tif 000005
【００１４】
用語「コンポーネントキャリア」は、周波数領域におけるいくつかのリソースブロックの組合せを意味する。ＬＴＥの将来のリリースにおいて、「コンポーネントキャリア」という用語はもはや使用されない。代わりに、この用語は「セル」に変更される。「セル」は、ダウンリンクリソースおよび任意でアップリンクリソースの組合せを意味する。ダウンリンクリソースのキャリア周波数とアップリンクリソースのキャリア周波数との連結（linking）は、ダウンリンクリソースで送信されるシステム情報に示される。
【００１５】
コンポーネントキャリアの構造の同様の想定は、以降のリリースにも適用される。
【００１６】
論理チャネルおよびトランスポートチャネル
【００１７】
ＭＡＣ層は、論理チャネルを通じてＲＬＣ層にデータ伝送サービスを提供する。論理チャネルは、ＲＲＣシグナリングなどの制御データを伝える制御論理チャネルか、ユーザプレーンデータを伝えるトラフィック論理チャネルのいずれかである。ブロードキャスト制御チャネル（ＢＣＣＨ）、ページング制御チャネル（ＰＣＣＨ）、共通制御チャネル（ＣＣＣＨ）、マルチキャスト制御チャネル（ＭＣＣＨ）、および専用制御チャネル（ＤＣＣＨ）は、制御論理チャネルである。専用トラフィックチャネル（ＤＴＣＨ）およびマルチキャストトラフィックチャネル（ＭＴＣＨ）は、トラフィック論理チャネルである。
【００１８】
ＭＡＣ層からのデータは、トランスポートチャネルを通じて物理層と交換される。データは、無線送信方式に応じてトランスポートチャネルに多重化される。トランスポートチャネルは、次のようにダウンリンクまたはアップリンクとして分類される。ブロードキャストチャネル（ＢＣＨ）、ダウンリンク共有チャネル（ＤＬ−ＳＣＨ）、ページングチャネル（ＰＣＨ）、およびマルチキャストチャネル（ＭＣＨ）は、ダウンリンクトランスポートチャネルであるのに対して、アップリンク共有チャネル（ＵＬ−ＳＣＨ）およびランダムアクセスチャネル（ＲＡＣＨ）は、アップリンクトランスポートチャネルである。
【００１９】
ダウンリンクおよびアップリンクそれぞれにおいて、論理チャネルとトランスポートチャネルの間で多重化が実行される。
【００２０】
第１層／第２層（Ｌ１／Ｌ２）制御シグナリング
【００２１】
スケジューリング対象のユーザに、ユーザの割当てステータス、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てがサブフレーム単位で変化しうるものと想定する）。なお、ユーザ割当てをＴＴＩ（送信時間間隔）ベースで実行することもでき、その場合、ＴＴＩ長はサブフレームの倍数であることに留意されたい。ＴＴＩ長は、サービスエリアにおいてすべてのユーザに対して一定とする、ユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２２】
第１層／第２層制御シグナリングは、物理ダウンリンク制御チャネル（ＰＤＣＣＨ）で送信される。ＰＤＣＣＨは、ダウンリンク制御情報（ＤＣＩ）としてメッセージを伝え、このメッセージには、ほとんどの場合、移動端末またはユーザ機器のグループのリソース割当て情報およびその他の制御情報が含まれる。一般的には、いくつかのＰＤＣＣＨを１つのサブフレーム内で送信することができる。
【００２３】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。
【００２４】
一般的には、アップリンクまたはダウンリンクの無線リソースを割り当てるために第１層／第２層制御シグナリングで送られる情報は（特にＬＴＥ（−Ａ）リリース１０）、以下の項目に分類することができる。
・  ユーザ識別情報：割り当てる対象のユーザを示す。この情報は、一般には、ＣＲＣをユーザ識別情報によってマスクすることによってチェックサムに含まれる。
・  リソース割当て情報：ユーザに割り当てられるリソース（リソースブロック：ＲＢ）を示す。なお、ユーザに割り当てられるリソースブロックの数は動的とすることができる。
・  キャリアインジケータ：第１のキャリアで送信される制御チャネルが、第２のキャリアに関係するリソース（すなわち第２のキャリアのリソースまたは第２のキャリアに関連するリソース）を割り当てる場合に使用される。
・  変調・符号化方式：採用される変調方式および符号化率を決める。
・  ＨＡＲＱ情報：データパケットまたはその一部の再送信時に特に有用である、新規データインジケータ（ＮＤＩ）や冗長バージョン（ＲＶ）など。
・  電力制御コマンド：割り当てられたアップリンクデータまたは制御情報の送信時の送信電力を調整する。
・  基準信号情報：割当てに関連する基準信号の送信または受信に使用される、適用されるサイクリックシフトや直交カバーコードインデックスなど。
・  アップリンクまたはダウンリンク割当てインデックス：割当ての順序を識別するために使用され、ＴＤＤシステムにおいて特に有用である。
・  ホッピング情報：例えば、周波数ダイバーシチを増大させるためにリソースホッピングを適用するか、および適用方法の指示情報。
・  ＣＳＩ要求：割り当てられるリソースにおけるチャネル状態情報の送信をトリガーするために使用される。
・  マルチクラスタ情報：シングルクラスタ（ＲＢの連続的なセット）またはマルチクラスタ（連続的なＲＢの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２５】
なお、上記のリストは、これらに限定されるものではなく、また、使用されるＤＣＩフォーマットによっては、リストした情報項目すべてを各ＰＤＣＣＨ送信に含める必要はないことに留意されたい。
【００２６】
ダウンリンク制御情報は、全体的なサイズと、フィールドに含まれる情報とが異なるいくつかのフォーマットの形をとる。ＬＴＥにおいて現在定義されている異なるＤＣＩフォーマットは、以下のとおりであり、非特許文献２の５.３.３.１節に詳しく記載されている（この文書は、３ＧＰＰのウェブサイトにおいて入手可能であり、参照によって本明細書に組み込まれている）。ＤＣＩフォーマットと、ＤＣＩにおいて送信される具体的な情報に関するさらなる詳細については、技術規格、または非特許文献３（参照によって本明細書に組み込まれている）の９.３章を参照されたい。
【００２７】
フォーマット０：ＤＣＩフォーマット０は、アップリンク送信モード１または２におけるシングルアンテナポート送信を使用するＰＵＳＣＨのためのリソースグラントを送信するのに使用される。
【００２８】
フォーマット１：ＤＣＩフォーマット１は、単一符号語ＰＤＳＣＨの送信（ダウンリンク送信モード１，２，７）のためのリソース割当てを送信するのに使用される。
【００２９】
フォーマット１Ａ：ＤＣＩフォーマット１Ａは、単一符号語ＰＤＳＣＨ送信のためのリソース割当てをコンパクトにシグナリングする目的と、非競合ランダムアクセスのために専用プリアンブルシグネチャ（dedicated preamble signature）を移動端末に割り当てる目的とに使用される。
【００３０】
フォーマット１Ｂ：ＤＣＩフォーマット１Ｂは、ランク１送信による閉ループプリコーディングを使用してのＰＤＳＣＨ送信（ダウンリンク送信モード６）のためのリソース割当てをコンパクトにシグナリングするのに使用される。送信される情報はフォーマット１Ａと同じであるが、それに加えて、ＰＤＳＣＨの送信に適用されるプリコーディングベクトルのインジケータが送信される。
【００３１】
フォーマット１Ｃ：ＤＣＩフォーマット１Ｃは、ＰＤＳＣＨのための割当てを極めてコンパクトに送信するのに使用される。フォーマット１Ｃが使用されるとき、ＰＤＳＣＨ送信は、ＱＰＳＫ変調の使用に制約される。このフォーマットは、例えば、ページングメッセージをシグナリングしたり、システム情報メッセージをブロードキャストするために使用される。
【００３２】
フォーマット１Ｄ：ＤＣＩフォーマット１Ｄは、マルチユーザＭＩＭＯを使用してのＰＤＳＣＨ送信のためのリソース割当てをコンパクトにシグナリングするのに使用される。送信される情報は、フォーマット１Ｂの場合と同じであるが、プリコーディングベクトルのインジケータのビットのうちの１つの代わりに、データシンボルに電力オフセットが適用されるかを示すための１個のビットが存在する。この構成は、２基のユーザ機器の間で送信電力が共有されるか否かを示すために必要である。ＬＴＥの今後のバージョンでは、この構成は、より多くの数のユーザ機器の間で電力を共有する場合に拡張されうる。
【００３３】
フォーマット２：ＤＣＩフォーマット２は、閉ループＭＩＭＯ動作の場合にＰＤＳＣＨのためのリソース割当てを送信するのに使用される。
【００３４】
フォーマット２Ａ：ＤＣＩフォーマット２Ａは、開ループＭＩＭＯ動作の場合にＰＤＳＣＨのためのリソース割当てを送信するのに使用される。送信される情報はフォーマット２の場合と同じであるが、異なる点として、ｅＮｏｄｅＢが２つの送信アンテナポートを有する場合、プリコーディング情報は存在せず、４つのアンテナポートの場合、送信ランクを示すために２ビットが使用される。
【００３５】
フォーマット２Ｂ：リリース９において導入され、デュアルレイヤ・ビームフォーミングの場合にＰＤＳＣＨのためのリソース割当てを送信するために使用される。
【００３６】
フォーマット２Ｃ：リリース１０において導入され、閉ループシングルユーザＭＩＭＯ動作またはマルチユーザＭＩＭＯ動作（最大８レイヤ）の場合にＰＤＳＣＨのためのリソース割当てを送信するために使用される。
【００３７】
フォーマット２Ｄ：リリース１１において導入され、最大８レイヤの送信に使用され、主としてＣｏＭＰ（協調マルチポイント）において使用される。
【００３８】
フォーマット３および３Ａ：ＤＣＩフォーマット３および３Ａは、それぞれ、２ビットまたは１ビットの電力調整を有する、ＰＵＣＣＨおよびＰＵＳＣＨのための電力制御コマンドを送信するのに使用される。これらのＤＣＩフォーマットは、ユーザ機器のグループのための個々の電力制御コマンドを含む。
【００３９】
フォーマット４：ＤＣＩフォーマット４は、アップリンク送信モード２における閉ループ空間多重化送信を使用する、ＰＵＳＣＨのスケジューリングに使用される。
【００４０】
次の表は、例示を目的として、５０ＲＢのシステム帯域幅と、ｅＮｏｄｅＢにおける４つのアンテナを想定した場合における、いくつかの利用可能なＤＣＩフォーマットと一般的なビット数の概要を示している。右側の列に示したビット数は、その特定のＤＣＩのＣＲＣのビットを含む。
【００４１】
【表１】
2018085774.tif 000006
【００４２】
図５は、非特許文献２の図５.３.３.１による、１つのＤＣＩの処理構造を示している。
−  情報要素の多重化（１つのＤＣＩを構成する特定の情報要素の多重化）
−  ＣＲＣの付加
−  チャネル符号化
−  レートマッチング
【００４３】
ユーザ機器がＰＤＣＣＨ送信を正常に受信したかを自身で識別できるようにする目的で、各ＰＤＣＣＨ（すなわちＤＣＩ）に付加される１６ビットのＣＲＣによって誤り検出が提供される。さらには、ユーザ機器が自身を対象とするＰＤＣＣＨを識別できることが必要である。このことは、理論的には、ＰＤＣＣＨペイロードに識別子を追加することによって達成できる。しかしながら、「ユーザ機器の識別情報」によってＣＲＣをスクランブルする方がより効率的であり、追加のオーバーヘッドが節約される。ＣＲＣの計算およびスクランブリングは、非特許文献２（この文書は参照によって本明細書に組み込まれている）の５.３.３.２節「ＣＲＣの付加」において３ＧＰＰによって詳細に定義されているように行うことができる。この節には、巡回冗長検査（ＣＲＣ）を通じてＤＣＩ送信に誤り検出を導入する方法が記載されている。簡潔に要約すると以下のようになる。
【００４４】
ペイロード全体を使用して、ＣＲＣパリティビットを計算する。パリティビットを計算して付加する。ユーザ機器の送信アンテナの選択が設定されていない、または適用可能ではない場合、付加した後、ＣＲＣパリティビットを対応するＲＮＴＩによってスクランブルする。
【００４５】
さらに、スクランブリングは、非特許文献２から明らかであるように、ユーザ機器の送信アンテナの選択にも依存しうる。ユーザ機器の送信アンテナの選択が設定されていない、または適用可能ではない場合、付加した後、ＣＲＣパリティビットを、アンテナ選択マスクおよび対応するＲＮＴＩによってスクランブルする。いずれの場合にも、スクランブリング処理にＲＮＴＩが関与するため、簡潔さのため、および一般性を失うことなく、実施形態の以下の説明では、ＣＲＣがＲＮＴＩによってスクランブルされる（および必要な場合にデスクランブルされる）ものと記載されているが、例えばアンテナ選択マスクなどのさらなる要素もスクランブリング処理において使用されうることを理解されたい。
【００４６】
したがって、ユーザ機器は、「ユーザ機器の識別情報」を適用することによってＣＲＣをデスクランブルし、ＣＲＣ誤りが検出されない場合、ユーザ機器は、ＰＤＣＣＨが自身を対象とする制御情報を伝えているものと判断する。ＣＲＣを識別情報によってスクランブルする上述したプロセスにおいては、「マスキング」および「デマスキング」という用語も使用される。
【００４７】
ＤＣＩのＣＲＣをスクランブルする上述した「ユーザ機器の識別情報」は、ＳＩ−ＲＮＴＩ（システム情報無線ネットワーク一時識別子）とすることもでき、このＳＩ−ＲＮＴＩは、「ユーザ機器の識別情報」ではなく、送信される情報のタイプ（この場合にはシステム情報）に関連付けられる識別子である。ＳＩ−ＲＮＴＩは、通常では仕様において決定され、したがってすべてのユーザ機器においてあらかじめ既知である。
【００４８】
さまざまな目的に使用されるさまざまなタイプのＲＮＴＩが存在する。非特許文献４の７.１章から引用した次の表は、さまざまな１６ビットＲＮＴＩおよびその用途の概要を示している。
【００４９】
【表２】
2018085774.tif 000007
【００５０】
【表３】
2018085774.tif 000008
【００５１】
物理ダウンリンク制御チャネル（ＰＤＣＣＨ）および物理ダウンリンク共有チャネル（ＰＤＳＣＨ）
【００５２】
物理ダウンリンク制御チャネル（ＰＤＣＣＨ）は、例えば、ダウンリンクまたはアップリンクでデータを送信するためのリソースを割り当てるスケジューリンググラントを伝える。
【００５３】
各ＰＤＣＣＨは、１つまたは複数のいわゆる制御チャネル要素（ＣＣＥ）を使用して送信される。各ＣＣＥは、一連のリソース要素（ＲＥ）に対応する。３ＧＰＰ  ＬＴＥにおいては、現在、１つのＣＣＥは９つのリソース要素グループ（ＲＥＧ）からなり、１個のＲＥＧは、基準信号のリソース要素を除く４つの連続するリソース要素（周波数領域において連続する）からなる。基準信号によって占有されるリソース要素は、ＲＥＧには含まれず、すなわち、１個のＯＦＤＭシンボルにおけるＲＥＧの総数は、基準信号が存在するか否かに依存する。
【００５４】
2018085774.tif 000009
【００５５】
物理ダウンリンク共有チャネル（ＰＤＳＣＨ）に関するダウンリンクグラントにおいて、ＰＤＣＣＨは、同じサブフレーム内の（ユーザ）データのためのＰＤＳＣＨリソースを割り当てる。サブフレーム内のＰＤＣＣＨ制御チャネル領域は、一連のＣＣＥからなり、サブフレームの制御領域におけるＣＣＥの総数は、時間−周波数制御リソース全体にわたり分散している。制御チャネルの符号化率を効果的に低減するため、複数のＣＣＥを組み合わせることができる。ＣＣＥは、さまざまな符号化率を達成するためツリー構造を使用する所定の方法において組み合わされる。
【００５６】
３ＧＰＰ  ＬＴＥにおいては、ＰＤＣＣＨは、１個、２個、４個、または８個のＣＣＥをアグリゲートすることができる。制御チャネルの割当てに利用可能なＣＣＥの数は、キャリアの帯域幅、送信アンテナの数、制御に使用されるＯＦＤＭシンボルの数、ＣＣＥのサイズなど、いくつかの要因の関数である。サブフレームにおいて複数のＰＤＣＣＨを送信することができる。
【００５７】
トランスポートチャネルのレベルにおいては、ＰＤＣＣＨを介して送信される情報は、第１層／第２層（Ｌ１／Ｌ２）制御シグナリングとも称される。第１層／第２層制御シグナリングは、各ユーザ機器（ＵＥ）を対象にダウンリンクで送信される。制御シグナリングは、一般にはサブフレーム内でダウンリンク（ユーザ）データと多重化される（ユーザ割当てがサブフレーム単位で変化しうるものと想定する）。
【００５８】
時分割複信：ＴＤＤ
【００５９】
ＬＴＥは、ＴＤ−ＳＣＤＭＡ（時分割同期符号分割多重アクセス）の進化もサポートするように設計されている統一フレームワーク（harmonized framework）における周波数分割複信（ＦＤＤ）モードおよび時分割複信（ＴＤＤ）モードで動作することができる。ＴＤＤでは、時間領域においてアップリンク送信とダウンリンク送信が分離されるが、周波数は同じままである。
【００６０】
用語「複信」は、２つの装置の間の双方向通信を意味し、一方向通信と区別される。双方向の場合、各方向におけるリンクを通じての送信を、同時に（全二重）または交替して（半二重）行うことができる。
【００６１】
非ペア無線スペクトル（unpaired radio spectrum）におけるＴＤＤの場合、リソースブロックおよびリソース要素の基本的な構造は図４に示してあるが、無線フレームのサブフレームのサブセットのみがダウンリンク送信に利用可能である。残りのサブフレームは、アップリンク送信に使用される、または、ダウンリンク送信とアップリンク送信の間での切替えを可能にするガード期間を含む特殊サブフレームに使用される。ガード期間によって、アップリンク送信タイミングを進めることができる。３ＧＰＰ  ＬＴＥリリース８以降においては、このＴＤＤ構造は「フレーム構造タイプ２」として公知であり、７つの異なる構成が定義されており、これらの構成により、さまざまなダウンリンク−アップリンク比率および切替え周期が可能である。図６は、７つの異なるＴＤＤアップリンク−ダウンリンク構成（番号：０〜６）の表を示している。表から理解できるように、７つの利用可能なＴＤＤアップリンク−ダウンリンク構成は、ダウンリンクサブフレームの４０％〜９０％を提供することができる（特殊サブフレームの一部はダウンリンク送信に利用可能であるため、特殊サブフレームをダウンリンクサブフレームとして数えるとき）。
【００６２】
図７は、特に、５ｍｓのスイッチポイント周期（すなわちＴＤＤ構成０，１，２，６）の場合のフレーム構造タイプ２を示している。
【００６３】
図７は、長さ１０ｍｓである無線フレームと、それぞれ５ｍｓの対応する２つのハーフフレームとを示している。無線フレームは、１ｍｓの１０個のサブフレームから構成されており、サブフレームそれぞれには、図６の表に定義されているように、アップリンク、ダウンリンク、または特殊の各タイプが割り当てられており、図６では、「Ｄ」がダウンリンクを意味し、「Ｕ」がアップリンクを意味し、「Ｓ」が特殊を意味する。
【００６４】
図６から理解できるように、サブフレーム＃１はつねに特殊サブフレームであり、サブフレーム＃６は、ＴＤＤ構成０，１，２，６の場合には特殊サブフレームであり、ＴＤＤ構成３，４，５の場合にはダウンリンクサブフレームである。特殊サブフレームは、３つのフィールドとして、ＤｗＰＴＳ（ダウンリンクパイロットタイムスロット）、ＧＰ（ガード期間）、およびＵｐＰＴＳ（アップリンクパイロットタイムスロット）を含む。次の表は、特殊サブフレームに関する情報を示しており、特に、３ＧＰＰ  ＬＴＥリリース１１において定義されているように、ＤｗＰＴＳ（ダウンリンクパイロットタイムスロット）、ＧＰ（ガード期間）、およびＵｐＰＴＳ（アップリンクパイロットタイムスロット）それぞれの長さを、サンプル時間Ｔｓ＝（１／３０７２０）ｍｓの倍数として示してある。
【００６５】
【表４】
2018085774.tif 000010
【００６６】
システムにおいて適用されるＴＤＤ構成は、移動局および基地局において実行される数多くの動作、例えば、無線リソース管理（ＲＲＭ）測定、チャネル状態情報（ＣＳＩ）測定、チャネル推定、ＰＤＣＣＨ検出、ＨＡＲＱタイミングなどに影響する。
【００６７】
特に、ユーザ機器は、システム情報を読み取ることで、自身の現在のセルにおけるＴＤＤ構成に関して認識し、すなわち、測定用に監視するサブフレーム、ＣＳＩの測定および報告のために監視するサブフレーム、チャネル推定を取得するための時間領域フィルタリングのために監視するサブフレーム、ＰＤＣＣＨの検出のために監視するサブフレーム、またはＵＬ／ＤＬ  ＡＣＫ／ＮＡＣＫフィードバックのために監視するサブフレームを認識する。
【００６８】
現在の半静的なＴＤＤアップリンク／ダウンリンク構成方式の欠点
【００６９】
現在、ＬＴＥ  ＴＤＤでは、７つの異なる半静的に設定されるアップリンク−ダウンリンク構成を提供することによって、非対称的なＵＬ−ＤＬ割当てが可能である。ＵＬ−ＤＬ割当てを適合させるための現在のメカニズムは、システム情報取得手順またはシステム情報変更手順に基づいており、ＳＩＢによって、特に、ＳＩＢ１におけるＴＤＤ構成パラメータによって、ＴＤＤ  ＵＬ−ＤＬ構成が示される。（システム情報のブロードキャストに関する詳細については、非特許文献５の８.１.１節を参照）（３ＧＰＰのウェブサイトにおいて入手可能であり、参照によって本明細書に組み込まれている）。
【００７０】
リリース８のシステム情報変更手順では、ＴＤＤ  ＵＬ／ＤＬ再構成のためのサポートされる時間スケールは、毎６４０ｍｓ以上である。ＥＴＷＳ（地震津波警報システム）を再利用すると、ＴＤＤ  ＵＬ／ＤＬ再構成のためのサポートされる時間スケールは、設定されているデフォルトのページングサイクルに応じて毎３２０ｍｓ以上である。
【００７１】
ＴＤＤ  ＵＬ／ＤＬ構成の半静的な割当ては、瞬間的なトラフィック状況に合致することもあれば、しないこともある。しかしながら、例えば、隣接セルの例えばアップリンクまたはダウンリンクにおける通信との干渉を緩和するために、より多くの空白のアップリンクサブフレームを動的に作成する目的で、ＴＤＤ  ＵＬ／ＤＬ構成を現在のトラフィック需要に適合させることは有利である。したがって、リリース１２では、ＴＤＤ  ＵＬ／ＤＬ構成のより動的な変更が採用されるものと予測される。
【００７２】
３ＧＰＰは、さまざまなタイプのＴＤＤ  ＵＬ／ＤＬ再構成の時間スケールおよびそれぞれの利点／欠点を検討するため、検討項目として非特許文献６に着手した。一般的に、この検討項目の結論として、ＴＤＤ  ＵＬ／ＤＬ再構成の時間スケールが速いほど、ＴＤＤ  ＵＬ／ＤＬ再構成の時間スケールが遅いよりも大きな恩恵が得られる。さらには、要求される仕様の変更量は、サポートされる再構成の時間スケールに依存する。
【００７３】
しかしながら、この検討項目では、レガシーユーザ機器（リリース１１規格以前のみに準拠しており、動的なＴＤＤ再構成メカニズムを実装していないユーザ機器）における問題として、異なるユーザ機器のＴＤＤ構成が異なることに起因する問題も認識された。特に、基地局がセル内のユーザ機器のＴＤＤ構成を動的に再構成することを望むとき、動的なＴＤＤ再構成を適切に処理できるのは新しいユーザ機器のみであるものと想定する。既存のＳＩＢベースのＴＤＤ構成指示方法が使用されず、より動的な指示方法が使用される場合、レガシーユーザ機器はＴＤＤ再構成を適用しない。したがって、レガシーユーザ機器は、デフォルトの（すなわちＳＩＢによって示される）ＴＤＤ構成による無線フレームのダウンリンクサブフレームに基準信号（例：ＣＲＳ：共通基準シンボル）が存在するものと依然として想定する。動的なＴＤＤ構成がダウンリンクサブフレームの代わりにアップリンクサブフレームを有する場合、レガシーユーザ機器はＣＲＳが存在するものと誤って想定し、これにより誤った測定値およびチャネル推定につながりうる。
【００７４】
検討項目では、より動的な指示方法として、ＲＲＣシグナリング、ＭＡＣシグナリング、およびＰＨＹシグナリングも考慮された。ＲＲＣシグナリングによるＴＤＤ  ＵＬ／ＤＬ再構成は、２００ｍｓのオーダーであり、ブロードキャスト法またはマルチキャスト法が指定されていない限りは、ＲＲＣ接続されているユーザあたり１つの再構成メッセージが要求される。ＭＡＣヘッダにおけるＭＡＣ制御要素（ＣＥ）シグナリングによるＴＤＤ  ＵＬ／ＤＬ再構成は、数十ｍｓのオーダーである。物理層設計（例えばＤＣＩの第１層／第２層制御シグナリングによって提供されるものなど）を使用すると、ＴＤＤ  ＵＬ／ＤＬ適合化の時間スケールとして１０ｍｓのオーダーを達成することができる。
【００７５】
上の検討項目の結果を考慮すれば、ＴＤＤ  ＵＬ／ＤＬ再構成はできる限り迅速に実行するべきであり、これにより、ＴＤＤ  ＵＬ／ＤＬ構成をトラフィック状況に柔軟に適合させることができる。
【先行技術文献】
【非特許文献】
【００７６】
【非特許文献１】3GPP TS 36.211, “Evolved Universal Terrestrial Radio Access (E-UTRA); Physical Channels and Modulation (Release 8)”
【非特許文献２】3GPP TS 36.212, “Multiplexing and channel coding”
【非特許文献３】LTE - The UMTS Long Term Evolution - From Theory to Practice, Edited by Stefanie Sesia, Issam Toufik, Matthew Baker
【非特許文献４】3GPP 36.321
【非特許文献５】3GPP TS 25.331, “Radio Resource Control (RRC)”, version 6.7.0
【非特許文献６】TR 36.828 v11.0.0
【非特許文献７】3GPP TS 36.331
【非特許文献８】3GPP TS 36.213
【非特許文献９】TS 36.311
【発明の概要】
【発明が解決しようとする課題】
【００７７】
本発明の１つの目的は、上述した従来技術の問題を解決する、改善された時分割複信（ＴＤＤ）構成の指示方法を提供することである。１つまたは複数の無線フレームのＴＤＤ構成を動的に適合させることが可能であることが好ましい。
【課題を解決するための手段】
【００７８】
この目的は、独立請求項の主題によって解決される。有利な実施形態は、従属請求項の主題である。
【００７９】
本発明のさまざまな実施形態によると、移動局と基地局との間の通信に使用される時分割複信（ＴＤＤ）の構成を、基地局によって、移動局へのＤＣＩ送信に符号化する。この場合、ＤＣＩ送信という用語は、送信全体（これはこの特定の場合には、ＤＣＩおよび対応する誤り検出符号（ＣＲＣなど）を意味する）として理解されたい。本発明は、これを達成することのできるさまざまな実施形態を提供する。
【００８０】
本発明の主たる一態様は、通信システムにおいて、複数の時分割複信（ＴＤＤ）構成のうちの少なくとも１つを用いる移動局であって、複数のサブフレームを含む無線フレーム内の、アップリンクサブフレームと、ダウンリンクサブフレームと、特殊サブフレームとの構成を定義するデフォルトＴＤＤ構成を含むシステム情報ブロック（ＳＩＢ）を受信し、ダウンリンク制御情報および前記ダウンリンク制御情報の誤り検出符号を受信する受信部であって、前記誤り検出符号は前記移動局に関連付けられた識別子によりスクランブルされている、前記受信部と、制御部と、を備え、前記制御部は、前記識別子によりスクランブルされた前記誤り検出符号を用いて前記ダウンリンク制御情報の復号が成功した場合、前記ダウンリンク制御情報に基づき、前記デフォルトＴＤＤを含む前記複数のＴＤＤ構成からＴＤＤ構成を決定し、前記決定したＴＤＤ構成を適用する少なくとも１つのサービングセルを決定し、前記少なくとも１つのサービングセルの無線フレームｎ＋１に前記決定されたＴＤＤ構成を適用し、ｎは前記移動局により受信された前記ダウンリンク制御情報と前記誤り検出符号が含まれる無線フレームに対応し、前記決定されたＴＤＤ構成の適用終了に応じて、前記デフォルトＴＤＤ構成を無線フレームｎ＋１＋ｘに適用し、ｘは正の整数である、前記移動局である。
【００８１】
本発明の第１の態様によると、ＴＤＤ構成を、ＤＣＩに対して計算される誤り検出符号に符号化する。より具体的には、特定のＴＤＤ構成を、誤り検出符号に暗黙的に符号化する。割当て可能なＴＤＤ構成それぞれについて、異なる識別子の値を定義し、移動局と基地局の両方が、この事前定義される識別子の値と、割当て可能なＴＤＤ構成との関連付けとを認識している。より詳細には、ＬＴＥ通信システムにおいては、この識別子は、１６ビットの長さを有する無線ネットワーク一時識別子とすることができ、この識別子によって１６ビットの誤り検出符号（ＣＲＣ）をスクランブルする。
【００８２】
したがって、基地局は、特定のセルにおいてデフォルトのＴＤＤ構成を別のターゲットＴＤＤ構成に動的に変更したいとき、ＤＣＩを生成し、そのＤＣＩに対応する誤り検出符号を計算し、計算したＣＲＣを、そのセル内の（１つまたは複数の）移動局が次の（１つまたは複数の）無線フレームにおいて使用するターゲットＴＤＤ構成に関連付けられる識別子によってスクランブルする。
【００８３】
ＤＣＩ自体（すなわちＣＲＣではない）は、ＬＴＥ標準規格にすでに定義されているＤＣＩフォーマットに従う、または、すでに定義されているＤＣＩフォーマット（例えばフォーマット１Ｃなど）と同じサイズを有する同等のフォーマットに従う、または、動的なＴＤＤ再構成に関連して使用されることを目的とする「新規の」ＤＣＩフォーマットに従うことができる。
【００８４】
すでに定義されているＬＴＥ  ＤＣＩ（例えばフォーマット１Ｃなど）を使用する場合、基地局は、ＤＣＩにおけるパラメータの１つまたは複数（フォーマット１Ｃの場合、例えばリソースブロック割当て）を無効な値に設定することができ、したがって、そのＤＣＩおよび無効なパラメータを処理する移動局は、受信したＤＣＩが、ダウンリンクリソースを割り当てる「従来の」ＤＣＩフォーマット１Ｃではなく、動的なＴＤＤ再構成のためのＴＤＤ構成を伝えるために使用されていることを容易に判断することができる。
【００８５】
後から説明するように、定義されているＤＣＩフォーマット（例えばＤＣＩフォーマット１Ｃ）の上述した無効なパラメータを使用して、さらなるパラメータを符号化することによって、第１の態様をさらに改善することができる。いま、無効なパラメータは、１つの無効な値のみならず、さまざまな無効な値をとることができるものと想定する。この場合、無効なパラメータを使用することで、（その無効なパラメータを含む）ＤＣＩが動的なＴＤＤ再構成を伝えているという指示情報を符号化することに加えて、さらなるパラメータ（値）を符号化することができる。具体的には、パラメータが無効な値のいずれか、または無効な値のグループに設定されていることによって、移動局は、そのＤＣＩが、ＴＤＤ構成の指示情報を伝えるＤＣＩであり、従来のＤＣＩではないことを判断することができる。この場合、このパラメータの無効な値のそれぞれ（またはグループ）を、別の特定のパラメータの別の値に関連付けることができる。例えば、実際に利用可能な複数の無効な値を、さまざまなＴＤＤ構成に関連付けることができ、したがって、その無効なパラメータと、パラメータの無効な値の特定の１つは、動的なＴＤＤ  ＵＬ／ＤＬ再構成における所望のＴＤＤ構成のインデックスを示す。
【００８６】
さらには、３ＧＰＰによってすでに定義されているＤＣＩフォーマットを再利用することができ、すなわち、すでに定義されているＤＣＩと同じビットサイズを採用し、特定の状況に応じてそのＤＣＩの中の異なる内容（情報要素）を定義することによって、再利用することができる。例えば、３ＧＰＰ標準規格である非特許文献２のＤＣＩフォーマット１Ｃを拡張することができ、特定の場合には、ＤＣＩフォーマット１Ｃを、３ＧＰＰによってすでに定義されているフォーマットとして（ＰＤＳＣＨのための割当て）使用するが、残りの（それ以外の）場合には、ＤＣＩフォーマット１Ｃを、３ＧＰＰによって従来意図されている（本出願の時点において定義されている）目的ではなく、本発明による動的なＴＤＤ再構成の目的に使用する。
【００８７】
３番目の代替方法として、場合によっては既存のＤＣＩフォーマットとは異なる長さを有する新規のＤＣＩフォーマットを定義することができ、長さは、この新規のＤＣＩフォーマットに含めるさらなる内容（パラメータ）に依存する。後からさらに詳しく説明するように、いずれの場合（「定義されたＤＣＩフォーマット」、「定義されたＤＣＩフォーマットを拡張する」、「新規のＤＣＩフォーマット」）においても、ＤＣＩは、動的なＴＤＤ再構成と組み合わせて有利に使用できる少なくとも１つの追加のパラメータを含むことができる。
【００８８】
上記によると、ＤＣＩおよび対応する誤り検出符号を受信した移動局は、さまざまなＴＤＤ構成に対して事前定義されているさまざまな識別子を使用して、誤り検出符号のデスクランブリングと誤り検出チェックの実行を試みる。移動局は、さまざまな候補の識別子のうちの１つによって誤り検出チェックが正常に実行されたとき、誤り検出チェックが成功した１つの識別子に関連付けられる特定のＴＤＤ構成を求める。これにより、移動局は、自身のセルにおいて次の（１つまたは複数の）無線フレームに適用するべきＴＤＤ構成を認識する。
【００８９】
さらに、移動局は、上述した追加のパラメータを求めることで、さらなる利点を得ることができ、詳細については「発明を実施するための形態」のセクションに記載してある。
【００９０】
本発明の第２の態様によると、第１の態様におけるように、ＴＤＤ構成を暗黙的に誤り検出符号に符号化する代わりに、ＴＤＤ構成を、ＤＣＩにおけるパラメータとして直接的に符号化する。したがって、基地局によって生成されるＤＣＩは、デフォルトのＴＤＤ構成の代わりに適用されるＴＤＤ構成を示す（好ましくは最大で３ビット長の）フィールドを備えている。さらに、本発明のこの第２の態様は、ＤＣＩのために計算されて基地局から移動局にＤＣＩと一緒に送信される誤り検出符号をセル識別子によってスクランブルすることを指定し、これにより、移動局は、ＴＤＤ構成が適用されるターゲットセルを識別することができる。
【００９１】
移動局は、ＤＣＩおよびスクランブルされた誤り検出符号を基地局から受信すると、最初に、誤り検出符号およびＤＣＩに対して誤り検出チェックを実行し、このステップは、誤り検出符号をデスクランブルするステップを含む。移動局は、基地局において誤り検出符号をスクランブルするプロセスに実際に使用されたセル識別子を求めるまで、誤りチェックを実行する。
【００９２】
移動局は、求めたセル識別子から、第一に、そのＤＣＩが、ＴＤＤ構成を伝えるためのＤＣＩである（かつ他のいずれの種類のＤＣＩではない）ことを認識する。第二に、移動局は、（セル識別子によって識別される）ターゲットセルが、（ＤＣＩに含まれている）ＴＤＤ構成を実際に適用する対象のセルであることを認識する。移動局は、ＤＣＩのペイロードからＴＤＤ構成を認識する。
【００９３】
当然ながら、移動局は、ＤＣＩの誤り検出符号をスクランブルするために使用されたセル識別子によって識別される求めたターゲットセルに自身が属している場合にのみ、求めたＴＤＤ構成を適用する。
【００９４】
この第２の態様は、１つのマクロセルとさまざまなスモールセルが存在する（例えば、マクロセルが周波数分割複信で動作しており、スモールセルが時分割複信で動作している）シナリオにおいて有利に使用することができる。移動局は、マクロセルのみならずスモールセル内にも位置する。ＤＣＩ（および誤り訂正符号）がマクロセルの基地局から送信されるが、これはスモールセルのうちの１つ（または複数）のＴＤＤ構成を動的に変更することを目的とするものと想定する。
【００９５】
この目的のため、ＤＣＩの誤り検出符号をスクランブルするのに使用されるセル識別子は、新しいＴＤＤ構成を適用する対象の１つのセルのみを識別することができる。これに代えて、さまざまなスモールセルを１つのグループにまとめて、このグループに１つのセル（グループ）識別子を関連付けることができ、したがって、移動局は、ＤＣＩと、この１つのセル（グループ）識別子によってスクランブルされた誤り検出符号とを受信すると、新しいＴＤＤ構成を適用する対象の（１つまたは複数の）セルと、適用しないセルとを求めることができる。
【００９６】
上述したように、誤り検出符号をスクランブルするためにセル識別子を使用することによって、移動局はＤＣＩがＴＤＤ構成を伝えていることを識別できるが、さらに、ＤＣＩは、フォールスアラームの危険性を低減するために無効なパラメータを含むことができる。具体的には、基地局は、１つ（または複数の）セルのＴＤＤ構成を動的に変更するためのＤＣＩを生成するとき、ＴＤＤ構成のパラメータを含めることに加えて、ＤＣＩのパラメータを無効な値に設定する。どのパラメータを無効な値に設定するかは、移動局がそのパラメータを無効であるものと識別することができ、したがってそのＤＣＩが「従来の」ＤＣＩではなくＴＤＤ構成を伝えるＤＣＩであることを導くことができる限りは、重要ではない。したがって、移動局は、誤り検出符号に関連して使用されているセル識別子と、ＤＣＩの無効なパラメータの両方から、そのＤＣＩが、適用される新しいＴＤＤ構成に関する指示情報をさらに含むことを推測することができる。
【００９７】
無効なパラメータの一例は、３ＧＰＰによって定義されているＤＣＩフォーマット１Ｃのリソースブロック割当てパラメータである。リソースブロック割当てパラメータを、例えばすべて「１」の無効な値に設定する。
【００９８】
本発明の第１の態様に関連してすでに説明したように、上述した無効なパラメータは、さらなる情報（例えばさらなるパラメータ値）を符号化する目的にも使用することができる。無効なパラメータに対して複数の無効な値が利用可能である場合、その無効なパラメータを伝えるＤＣＩが、複数のＴＤＤ構成のうちの１つを伝えるＤＣＩであるという情報に、すべての無効な値を関連付ける。その一方で、無効な値のそれぞれ（またはグループ）を、別のパラメータの異なる値に関連付ける。したがって、さらなるビットを使用することなく、さらなる情報を移動局に伝えることができる。例えば、実際のＴＤＤ構成を無効なパラメータに符号化することができる。７つのＴＤＤ構成を区別するためには、少なくとも無効なパラメータの少なくとも７つの異なる値が利用可能であることが必要である。この場合、移動局は、ＤＣＩにおいて使用されている無効なパラメータの特定の値に基づいて、特定のＴＤＤ構成を求めることができる。
【００９９】
公知のＤＣＩフォーマット（例えば３ＧＰＰによって定義されているＤＣＩフォーマット１Ｃなど）を使用する代わりに、後からさらに詳しく説明するように、動的なＴＤＤ再構成の指示情報を伝える目的専用の新規のＤＣＩフォーマットと、場合によってはさらなる追加のパラメータとを定義することも可能である。
【０１００】
本発明の第３の態様によると、本発明の第２の態様と同様に、ＴＤＤ構成をＤＣＩに直接符号化する。さらに、ＤＣＩは無効なパラメータを含み、これにより移動局は、受信したＤＣＩがＴＤＤ構成の指示情報を伝えていることを検出することができる。したがって、移動局は、ＤＣＩがこの特定の無効なパラメータを含んでいることを認識した場合、次いで、ＤＣＩに含まれている特定のＴＤＤ構成を求める。
【０１０１】
本発明の第３の態様の場合、３ＧＰＰによって定義されているさまざまな公知のＤＣＩフォーマットのうちの任意のフォーマット（例えば、本発明の第１の態様および第２の態様においてすでに説明したＤＣＩフォーマット１Ｃ）を使用できるものと想定する。しかしながら、代わりに別のフォーマットを使用することもできる。
【０１０２】
３ＧＰＰによって定義されているＤＣＩフォーマット１Ｃは、従来、ＰＤＳＣＨのための割当てのためのリソースブロック割当て（ＲＢＡ）パラメータを含む。第３の態様の目的に、このＲＢＡパラメータを無効な値に設定することができる。
【０１０３】
第１の態様および第２の態様の場合と同様に、無効なパラメータに対して複数の無効な値が存在する場合、さらなる情報をその無効なパラメータに符号化することができる。複数の無効な値のすべてが、（その無効なパラメータを伝える）ＤＣＩがＴＤＤ構成を伝えることを目的としていることを示すが、無効な値のそれぞれ（またはグループ）をさらなる情報に関連付ける。例えば、実際のＴＤＤ構成を無効なパラメータに符号化することができる。７つのＴＤＤ構成を区別するためには、無効なパラメータの少なくとも７つの異なる値が利用可能であることが必要である。この場合、移動局は、ＤＣＩにおいて使用されている無効なパラメータの特定の値に基づいて、特定のＴＤＤ構成を求めることができる。
【０１０４】
この第３の態様のさらなる改良形態では、ＤＣＩの誤り検出符号をいわゆるシステム情報の識別子（３ＧＰＰにおいてはＳＩ−ＲＮＴＩ）によってスクランブルすることを想定する。ＳＩ−ＲＮＴＩは、通常では、３ＧＰＰシステムにおいてシステム情報を伝えるために使用され、どのシステム情報メッセージがどのＳＩ−ウィンドウにおいて示されうるかを移動局が判断できるように、複数の異なるＳＩ−ウィンドウが定義される（非特許文献７の５.２.１.２節および５.２.３節を参照）。３ＧＰＰによると、ＳＩ−ウィンドウあたり送信できるＳＩメッセージは１つのみであるが、（必要な場合には）そのＳＩ−ウィンドウ内で複数回送信することができる。異なるＳＩメッセージに異なる周期を設定できるため、特定のＳＩ−ウィンドウがＳＩメッセージに使用されないことがある。言い換えれば、移動局は、そのような使用されないＳＩ−ウィンドウにおいては基地局によってＳＩメッセージの送信が実行されないことを認識している。移動局のこの認識を利用して、ＴＤＤ構成を伝えるＤＣＩを、このような使用されていないＳＩ−ウィンドウ内で送信し、ＤＣＩのＣＲＣをＳＩ−ＲＮＴＩによってスクランブルする。移動局は、使用されていないＳＩ−ウィンドウ内で受信したことと、無効なパラメータとの組合せにおいて、高い確実性でＤＣＩがＴＤＤ構成を伝えているものと判断することができる。
【０１０５】
変形形態においては、ＴＤＤ−ＤＣＩ受信ウィンドウを定義し、このウィンドウは、移動局がＴＤＤ−ＤＣＩメッセージを予期する場所を特定のサブフレームもしくは特定の無線フレームまたはその両方のみに制約するものとして理解されたい。言い換えれば、サブフレームもしくは無線フレームまたはその両方の好ましくは周期的パターンをＴＤＤ−ＤＣＩ受信ウィンドウとして定義し、基地局は、このウィンドウ内でＴＤＤ構成メッセージを送信することができる、もしくは、移動局は、このウィンドウ内でのみ受信および検出を実行すればよい、またはその両方である。
【０１０６】
本発明の第１の実施形態は、通信システムにおいて複数の時分割複信（ＴＤＤ）構成のうちの１つを移動局に示す方法、を提供する。ＴＤＤ構成は、１つまたは複数の無線フレーム内のアップリンクサブフレームと、ダウンリンクサブフレームと、特殊サブフレームとを定義する。移動局は、ダウンリンク制御情報と、ダウンリンク制御情報の対応する誤り検出符号とを基地局から受信し、誤り検出符号は、基地局によって、ＴＤＤ構成に関連付けられる識別子によってスクランブルされている。移動局は、ダウンリンク制御情報の誤り検出符号をスクランブルするために使用された識別子を求める。移動局は、ダウンリンク制御情報の誤り検出符号をスクランブルするために使用された識別子から、ＴＤＤ構成を求める。
【０１０７】
上の実施形態に加えて、または上の実施形態に代えて使用できる本発明の第１の実施形態の有利な変形形態によると、各ＴＤＤ構成に識別子の異なる値が関連付けられ、誤り検出符号を関連付けられる識別子によってスクランブルすることによって、特定のＴＤＤ構成が誤り検出符号に符号化される。一変形形態においては、識別子は、１６ビットの長さを有する無線ネットワーク一時識別子である。
【０１０８】
上の実施形態に加えて、または上の実施形態に代えて使用できる本発明の第１の実施形態の有利な変形形態によると、複数のＴＤＤ構成と識別子との間の関連付けは、基地局において事前に決定され、その事前に決定された関連付けについて、設定メッセージによって移動局に通知される。
【０１０９】
上の実施形態に加えて、または上の実施形態に代えて使用できる本発明の第１の実施形態の有利な変形形態によると、通信システムはＬＴＥ通信システムであり、ダウンリンク制御情報は、フォーマット１Ｃのダウンリンク制御情報である。この特定の場合、さらなる変形形態においては、ダウンリンク制御情報は、ダウンリンク制御情報が複数のＴＤＤ構成のうちの１つを示すことを示す無効なパラメータをさらに含む。この無効なパラメータは、３〜９ビットの長さと無効な値を有するリソースブロック割当てパラメータとすることができ、無効な値は、例えば、リソースブロック割当てパラメータのすべてのビットが「１」である値である。
【０１１０】
上の実施形態に加えて、または上の実施形態に代えて使用できる本発明の第１の実施形態の有利な変形形態によると、ダウンリンク制御情報は、複数の無効な値のうちの１つを有する無効なパラメータを含む。複数の無効な値のすべては、ダウンリンク制御情報が複数のＴＤＤ構成のうちの１つを示すことを示す。その一方で、無効なパラメータの無効な値のそれぞれまたはグループは、
ＴＤＤ構成が適用されるターゲットセル、
示されたＴＤＤ構成を適用する時点で、ＴＤＤ構成が適用されるセルにおける通信のための移動局のＨＡＲＱプロトコルをリセットするように、またはリセットしないように命令するＨＡＲＱ命令、
示されたＴＤＤ構成の有効期間パラメータであって、移動局が、示されたＴＤＤ構成を適用する時間長を有効期間パラメータから求め、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを示す。
【０１１１】
上の実施形態に加えて、または上の実施形態に代えて使用できる本発明の第１の実施形態の有利な変形形態によると、ダウンリンク制御情報は、
ＴＤＤ構成が適用されるターゲットセルを識別するターゲットセル識別子であって、好ましくは１〜５ビットの長さを有する、ターゲットセル識別子、
示されたＴＤＤ構成を適用する時点で、ＴＤＤ構成が適用されるセルにおける通信のための移動局のＨＡＲＱプロトコルをリセットするように、またはリセットしないように指示する命令を含む、好ましくは１ビットの長さを有するＨＡＲＱ命令、
示されたＴＤＤ構成の有効期間パラメータであって、移動局が、示されたＴＤＤ構成を適用する時間長を有効期間パラメータから求め、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを含む。
【０１１２】
上の実施形態に加えて、または上の実施形態に代えて使用できる本発明の第１の実施形態の有利な変形形態によると、移動局は、デフォルトのＴＤＤ構成を使用するように設定されている。移動局は、無線フレームｎ＋ｍに、求めたＴＤＤ構成を適用し、無線フレームｎ＋ｍ＋１に、デフォルトのＴＤＤ構成を適用する。ｍ＞＝１であり、ｎは、ダウンリンク制御情報および誤り検出符号が移動局によって受信される無線フレームに関連付けられる。
【０１１３】
本発明の第１の実施形態は、通信システムにおいて複数の時分割複信（ＴＤＤ）構成のうちの１つを処理する移動局、を提供する。ＴＤＤ構成は、１つまたは複数の無線フレーム内のアップリンクサブフレームと、ダウンリンクサブフレームと、特殊サブフレームとを定義する。移動局の受信器は、ダウンリンク制御情報と、ダウンリンク制御情報の対応する誤り検出符号とを基地局から受信する。誤り検出符号は、基地局によって、ＴＤＤ構成に関連付けられる識別子によってスクランブルされている。移動局のプロセッサは、ダウンリンク制御情報の誤り検出符号をスクランブルするために使用された識別子を求める。さらに、移動局のプロセッサは、ダウンリンク制御情報の誤り検出符号をスクランブルするために使用された識別子から、ＴＤＤ構成を求める。
【０１１４】
上の実施形態に加えて、または上の実施形態に代えて使用できる本発明の第１の実施形態の有利な変形形態によると、受信器は、複数のＴＤＤ構成と識別子との間の関連付けに関する情報を基地局から受信する。
【０１１５】
上の実施形態に加えて、または上の実施形態に代えて使用できる本発明の第１の実施形態の有利な変形形態によると、通信システムはＬＴＥ通信システムであり、ダウンリンク制御情報は、フォーマット１Ｃのダウンリンク制御情報である。この場合、プロセッサは、ダウンリンク制御情報が複数のＴＤＤ構成のうちの１つを示すことを、無効なパラメータを含むダウンリンク制御情報から判断することができる。一変形形態においては、無効なパラメータは、３〜９ビットの長さと無効な値を有するリソースブロック割当てパラメータであり、無効な値は、例えば、リソースブロック割当てパラメータのすべてのビットが「１」である値である。
【０１１６】
上の実施形態に加えて、または上の実施形態に代えて使用できる本発明の第１の実施形態の有利な変形形態によると、ダウンリンク制御情報は、複数の無効な値のうちの１つを有する無効なパラメータを含む。移動局のプロセッサは、ダウンリンク制御情報が複数のＴＤＤ構成のうちの１つを示すことを、無効な値のうちの任意の値に基づいて判断する。さらに、プロセッサは、ダウンリンク制御情報の無効なパラメータの特定の無効な値に基づいて、
ＴＤＤ構成が適用されるターゲットセル、
示されたＴＤＤ構成を適用する時点で、ＴＤＤ構成が適用されるセルにおける通信のための移動局のＨＡＲＱプロトコルをリセットするように、またはリセットしないように命令するＨＡＲＱ命令、
示されたＴＤＤ構成が適用される時間長を示す有効期間パラメータであって、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１１７】
上の実施形態に加えて、または上の実施形態に代えて使用できる本発明の第１の実施形態の有利な変形形態によると、移動局のプロセッサは、ダウンリンク制御情報から、
ＴＤＤ構成が適用されるターゲットセルを識別するターゲットセル識別子であって、好ましくは１〜５ビットの長さを有する、ターゲットセル識別子、
示されたＴＤＤ構成を適用する時点で、ＴＤＤ構成が適用されるセルにおける通信のための移動局のＨＡＲＱプロトコルをリセットするように、またはリセットしないように指示する命令を含み、好ましくは１ビットの長さを有する、ＨＡＲＱ命令、
示されたＴＤＤ構成の有効期間パラメータであって、プロセッサが、示されたＴＤＤ構成を適用する時間長を有効期間パラメータから求めるようにされており、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１１８】
上の実施形態に加えて、または上の実施形態に代えて使用できる本発明の第１の実施形態の有利な変形形態によると、移動局は、デフォルトのＴＤＤ構成を使用するように設定されている。プロセッサは、無線フレームｎ＋ｍに、求めたＴＤＤ構成を適用し、無線フレームｎ＋ｍ＋１に、デフォルトのＴＤＤ構成を適用し、ｍ＞＝１であり、ｎは、ダウンリンク制御情報および誤り検出符号が移動局によって受信される無線フレームに関連付けられる。
【０１１９】
本発明の第１の実施形態は、通信システムにおいて複数の時分割複信（ＴＤＤ）構成のうちの１つを移動局に示す基地局、を提供する。ＴＤＤ構成は、１つまたは複数の無線フレーム内のアップリンクサブフレームと、ダウンリンクサブフレームと、特殊サブフレームとを定義する。基地局のプロセッサは、ＴＤＤ構成を決定し、ダウンリンク制御情報およびダウンリンク制御情報の対応する誤り検出符号を生成する。さらに、プロセッサは、生成した誤り検出符号を、決定したＴＤＤ構成に関連付けられる識別子によってスクランブルする。送信器は、生成されたダウンリンク制御情報およびスクランブルされた誤り検出符号を移動局に送信する。
【０１２０】
本発明の第２の実施形態は、通信システムにおいて少なくとも１つのターゲットセルにおける、複数の時分割複信（ＴＤＤ）構成のうちの１つを移動局に示す方法、を提供する。ＴＤＤ構成は、１つまたは複数の無線フレーム内のアップリンクサブフレームと、ダウンリンクサブフレームと、特殊サブフレームとを定義する。移動局は、第１のセルの基地局から、ダウンリンク制御情報と、ダウンリンク制御情報の対応する誤り検出符号とを受信する。ダウンリンク制御情報の誤り検出符号は、基地局によって、ＴＤＤ構成が適用される少なくとも１つのターゲットセルに関連付けられるターゲットセル識別子によってスクランブルされる。移動局は、ダウンリンク制御情報の誤り検出符号をスクランブルするために使用された識別子を求める。さらに、移動局は、求めた識別子がターゲットセル識別子である場合、ダウンリンク制御情報からＴＤＤ構成を求め、求めたＴＤＤ構成を適用する少なくとも１つのターゲットセルを、ダウンリンク制御情報の誤り検出符号をスクランブルするために使用されたターゲットセル識別子から求める。
【０１２１】
上の実施形態に加えて、または上の実施形態に代えて使用できる本発明の第２の実施形態の有利な変形形態によると、第１のセルは、周波数分割複信で動作し、少なくとも１つのターゲットセルは、ＴＤＤで動作する。ダウンリンク制御情報および誤り検出符号は、第１のセルから基地局によって送信される。
【０１２２】
上の実施形態に加えて、または上の実施形態に代えて使用できる本発明の第２の実施形態の有利な変形形態によると、ターゲットセル識別子は、すべてのセルのうち、１つのターゲットセル、またはターゲットセルのグループを識別する。上の実施形態に加えて、または上の実施形態に代えて使用できる本発明の第２の実施形態の有利な変形形態によると、通信システムはＬＴＥ通信システムであり、ダウンリンク制御情報は、フォーマット１Ｃのダウンリンク制御情報である。特定の変形形態においては、ダウンリンク制御情報は、ダウンリンク制御情報が複数のＴＤＤ構成のうちの１つを示すことを示す無効なパラメータをさらに含む。この無効なパラメータは、３〜９ビットの長さと無効な値を有するリソースブロック割当てパラメータとすることができ、無効な値は、例えば、リソースブロック割当てパラメータのすべてのビットが「１」である値である。
【０１２３】
上の実施形態に加えて、または上の実施形態に代えて使用できる本発明の第２の実施形態の有利な変形形態によると、ダウンリンク制御情報は、複数の無効な値のうちの１つを有する無効なパラメータを含む。複数の無効な値のすべては、ダウンリンク制御情報が複数のＴＤＤ構成のうちの１つを示すことを示す。その一方で、無効なパラメータの無効な値のそれぞれまたはグループは、
ＴＤＤ構成、
示されたＴＤＤ構成を適用する時点で、ＴＤＤ構成が適用されるセルにおける通信のための移動局のＨＡＲＱプロトコルをリセットするように、またはリセットしないように命令するＨＡＲＱ命令、
示されたＴＤＤ構成の有効期間パラメータであって、移動局が、示されたＴＤＤ構成を適用する時間長を有効期間パラメータから求め、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを示す。
【０１２４】
上の実施形態に加えて、または上の実施形態に代えて使用できる本発明の第２の実施形態の有利な変形形態によると、ダウンリンク制御情報は、
ＴＤＤ構成を示すＴＤＤ構成フィールドであって、好ましくは３ビットの長さを有する、ＴＤＤ構成フィールド、
示されたＴＤＤ構成を適用する時点で、ＴＤＤ構成が適用されるセルにおける通信のための移動局のＨＡＲＱプロトコルをリセットするように、またはリセットしないように指示する命令を含み、好ましくは１ビットの長さを有する、ＨＡＲＱ命令、
示されたＴＤＤ構成の有効期間パラメータであって、移動局が、示されたＴＤＤ構成を適用する時間長を有効期間パラメータから求め、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを含む。
【０１２５】
上の実施形態に加えて、または上の実施形態に代えて使用できる本発明の第２の実施形態の有利な変形形態によると、移動局は、デフォルトのＴＤＤ構成を使用するように設定されており、無線フレームｎ＋ｍに、求めたＴＤＤ構成を適用し、無線フレームｎ＋ｍ＋１に、デフォルトのＴＤＤ構成を適用する。ｍ＞＝１であり、ｎは、ダウンリンク制御情報および誤り検出符号が移動局によって受信される無線フレームに関連付けられる。
【０１２６】
本発明の第２の実施形態は、通信システムにおいて複数の時分割複信（ＴＤＤ）構成のうちの１つを処理する移動局、を提供する。ＴＤＤ構成は、１つまたは複数の無線フレーム内のアップリンクサブフレームと、ダウンリンクサブフレームと、特殊サブフレームとを定義する。移動局の受信器は、ダウンリンク制御情報と、ダウンリンク制御情報の対応する誤り検出符号とを受信する。ダウンリンク制御情報の誤り検出符号は、基地局によって、ＴＤＤ構成が適用される少なくとも１つのターゲットセルに関連付けられるターゲットセル識別子によってスクランブルされている。移動局のプロセッサは、ダウンリンク制御情報の誤り検出符号をスクランブルするために使用された識別子を求める。プロセッサは、求めた識別子がターゲットセル識別子である場合、ダウンリンク制御情報からＴＤＤ構成を求める。プロセッサは、求めたＴＤＤ構成を適用する少なくとも１つのターゲットセルを、ダウンリンク制御情報の誤り検出符号をスクランブルするために使用されたターゲットセル識別子から求める。
【０１２７】
上の実施形態に加えて、または上の実施形態に代えて使用できる本発明の第２の実施形態の有利な変形形態によると、通信システムはＬＴＥ通信システムであり、ダウンリンク制御情報は、フォーマット１Ｃのダウンリンク制御情報である。プロセッサは、ダウンリンク制御情報が複数のＴＤＤ構成のうちの１つを示すことを、無効なパラメータを含むダウンリンク制御情報から判断する。無効なパラメータは、３〜９ビットの長さと無効な値を有するリソースブロック割当てパラメータであり、無効な値は、例えば、リソースブロック割当てパラメータのすべてのビットが「１」である値である。
【０１２８】
上の実施形態に加えて、または上の実施形態に代えて使用できる本発明の第２の実施形態の有利な変形形態によると、ダウンリンク制御情報は、複数の無効な値のうちの１つを有する無効なパラメータを含む。プロセッサは、ダウンリンク制御情報が複数のＴＤＤ構成のうちの１つを示すことを、無効な値のうちの任意の値に基づいて判断する。さらに、プロセッサは、ダウンリンク制御情報の無効なパラメータの特定の無効な値に基づいて、
ＴＤＤ構成、
示されたＴＤＤ構成を適用する時点で、ＴＤＤ構成が適用されるセルにおける通信のための移動局のＨＡＲＱプロトコルをリセットするように、またはリセットしないように命令するＨＡＲＱ命令、
示されたＴＤＤ構成が適用される時間長を示す有効期間パラメータであって、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１２９】
上の実施形態に加えて、または上の実施形態に代えて使用できる本発明の第２の実施形態の有利な変形形態によると、プロセッサは、ダウンリンク制御情報から、
好ましくは３ビットの長さを有するＴＤＤ構成フィールドからのＴＤＤ構成、
示されたＴＤＤ構成を適用する時点で、ＴＤＤ構成が適用されるセルにおける通信のための移動局のＨＡＲＱプロトコルをリセットするように、またはリセットしないように指示する命令を含み、好ましくは１ビットの長さを有する、ＨＡＲＱ命令、
示されたＴＤＤ構成の有効期間パラメータであって、プロセッサが、示されたＴＤＤ構成を適用する時間長を有効期間パラメータから求めるようにされており、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１３０】
上の実施形態に加えて、または上の実施形態に代えて使用できる本発明の第２の実施形態の有利な変形形態によると、移動局は、デフォルトのＴＤＤ構成を使用するように設定されている。プロセッサは、無線フレームｎ＋ｍに、求めたＴＤＤ構成を適用し、無線フレームｎ＋ｍ＋１に、デフォルトのＴＤＤ構成を適用し、ｍ＞＝１であり、ｎは、ダウンリンク制御情報および誤り検出符号が移動局によって受信される無線フレームに関連付けられる。
【０１３１】
本発明の第２の実施形態は、通信システムにおいて複数の時分割複信（ＴＤＤ）構成のうちの１つを移動局に示す基地局、を提供する。ＴＤＤ構成は、１つまたは複数の無線フレーム内のアップリンクサブフレームと、ダウンリンクサブフレームと、特殊サブフレームとを定義する。基地局のプロセッサは、ＴＤＤ構成を決定する。プロセッサは、ダウンリンク制御情報およびダウンリンク制御情報の対応する誤り検出符号を生成し、ダウンリンク制御情報は、決定されたＴＤＤ構成を示している。プロセッサは、生成した誤り検出符号を、ＴＤＤ構成が適用される少なくとも１つのターゲットセルに関連付けられるターゲットセル識別子によってスクランブルする。送信器は、生成されたダウンリンク制御情報およびスクランブルされた誤り検出符号を移動局に送信する。
【０１３２】
本発明の第３の実施形態は、通信システムにおいて複数の時分割複信（ＴＤＤ）構成のうちの１つを移動局に示す方法、を提供する。ＴＤＤ構成は、１つまたは複数の無線フレーム内のアップリンクサブフレームと、ダウンリンクサブフレームと、特殊サブフレームとを定義する。移動局は、基地局からダウンリンク制御情報を受信し、ダウンリンク制御情報は、ＴＤＤ構成を示し、さらに、ダウンリンク制御情報が複数のＴＤＤ構成のうちの１つを示すことを示す無効なパラメータを含む。移動局は、受信したダウンリンク制御情報が無効なパラメータを含むかを判定する。移動局は、受信したダウンリンク制御情報が無効なパラメータを含む場合、ダウンリンク制御情報からＴＤＤ構成を求める。
【０１３３】
上の実施形態に加えて、または上の実施形態に代えて使用できる本発明の第３の実施形態の有利な変形形態によると、通信システムはＬＴＥ通信システムであり、ダウンリンク制御情報は、フォーマット１Ｃのダウンリンク制御情報であり、この場合、無効なパラメータは、３〜９ビットの長さと無効な値を有するリソースブロック割当てパラメータであり、無効な値は、例えば、リソースブロック割当てパラメータのすべてのビットが「１」である値である。
【０１３４】
上の実施形態に加えて、または上の実施形態に代えて使用できる本発明の第３の実施形態の有利な変形形態によると、無効なパラメータは、複数の無効な値のうちの１つをとることができる。複数の無効な値のすべては、ダウンリンク制御情報が複数のＴＤＤ構成のうちの１つを示すことを示し、無効な値のそれぞれまたはグループは、
ＴＤＤ構成、
ＴＤＤ構成が適用されるターゲットセルを識別するターゲットセル識別子、
示されたＴＤＤ構成を適用する時点で、ＴＤＤ構成が適用されるセルにおける通信のための移動局のＨＡＲＱプロトコルをリセットするように、またはリセットしないように命令するＨＡＲＱ命令、
示されたＴＤＤ構成の有効期間パラメータであって、移動局が、示されたＴＤＤ構成を適用する時間長を有効期間パラメータから求め、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを示す。
【０１３５】
上の実施形態に加えて、または上の実施形態に代えて使用できる本発明の第３の実施形態の有利な変形形態によると、ダウンリンク制御情報は、
ＴＤＤ構成を示すＴＤＤ構成フィールドであって、好ましくは３ビットの長さを有する、ＴＤＤ構成フィールド、
ＴＤＤ構成が適用されるターゲットセルを識別するターゲットセル識別子であって、好ましくは１〜５ビットの長さを有する、ターゲットセル識別子、
示されたＴＤＤ構成を適用する時点で、ＴＤＤ構成が適用されるセルにおける通信のための移動局のＨＡＲＱプロトコルをリセットするように、またはリセットしないように指示する命令を含み、好ましくは１ビットの長さを有する、ＨＡＲＱ命令、
示されたＴＤＤ構成の有効期間パラメータであって、移動局が、示されたＴＤＤ構成を適用する時間長を有効期間パラメータから求め、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを含む。
【０１３６】
上の実施形態に加えて、または上の実施形態に代えて使用できる本発明の第３の実施形態の有利な変形形態によると、移動局は、受信したダウンリンク制御情報の誤り検出符号を基地局から受信し、ダウンリンク制御情報の誤り検出符号は、基地局によって、システム情報の識別子によってスクランブルされる。事前定義されるシステム情報受信ウィンドウが、特定のシステム情報メッセージに明確に関連付けられている。移動局は、ダウンリンク制御情報と、システム情報の識別子によってスクランブルされた対応する誤り検出符号とを、システム情報受信ウィンドウのうち、システム情報メッセージの設定された周期の結果として基地局がシステム情報を送信するために使用しない１つのシステム情報受信ウィンドウの中で受信する。
【０１３７】
上の実施形態に加えて、または上の実施形態に代えて使用できる本発明の第３の実施形態の有利な変形形態によると、移動局は、デフォルトのＴＤＤ構成を使用するように設定されている。移動局は、無線フレームｎ＋ｍに、求めたＴＤＤ構成を適用し、無線フレームｎ＋ｍ＋１に、デフォルトのＴＤＤ構成を適用し、ｍ＞＝１であり、ｎは、ダウンリンク制御情報および誤り検出符号が移動局によって受信される無線フレームに関連付けられる。
【０１３８】
本発明の第３の実施形態は、通信システムにおいて複数の時分割複信（ＴＤＤ）構成のうちの１つを処理する移動局、を提供する。ＴＤＤ構成は、１つまたは複数の無線フレーム内のアップリンクサブフレームと、ダウンリンクサブフレームと、特殊サブフレームとを定義する。移動局の受信器は、基地局からダウンリンク制御情報を受信し、ダウンリンク制御情報は、ＴＤＤ構成を示し、さらに、ダウンリンク制御情報が複数のＴＤＤ構成のうちの１つを示すことを示す無効なパラメータを含む。移動局のプロセッサは、受信したダウンリンク制御情報が無効なパラメータを含むかを判定する。さらに、プロセッサは、受信したダウンリンク制御情報が無効なパラメータを含む場合、ダウンリンク制御情報からＴＤＤ構成を求める。
【０１３９】
上の実施形態に加えて、または上の実施形態に代えて使用できる本発明の第３の実施形態の有利な変形形態によると、通信システムはＬＴＥ通信システムであり、ダウンリンク制御情報は、フォーマット１Ｃのダウンリンク制御情報である。無効なパラメータは、３〜９ビットの長さと無効な値を有するリソースブロック割当てパラメータであり、無効な値は、例えば、リソースブロック割当てパラメータのすべてのビットが「１」である値である。
【０１４０】
上の実施形態に加えて、または上の実施形態に代えて使用できる本発明の第３の実施形態の有利な変形形態によると、無効なパラメータは、複数の無効な値のうちの１つをとることができる。プロセッサは、ダウンリンク制御情報が複数のＴＤＤ構成のうちの１つを示すことを、無効な値のうちの任意の値に基づいて判断する。プロセッサは、ダウンリンク制御情報の無効なパラメータの特定の無効な値に基づいて、
ＴＤＤ構成、
ＴＤＤ構成が適用されるターゲットセルを識別するターゲットセル識別子、
示されたＴＤＤ構成を適用する時点で、ＴＤＤ構成が適用されるセルにおける通信のための移動局のＨＡＲＱプロトコルをリセットするように、またはリセットしないように指示する命令を含む、ＨＡＲＱ命令、
示されたＴＤＤ構成が適用される時間長を示す有効期間パラメータであって、好ましくは、所定の時間長に関連付けられるインデックスを示す、有効期間パラメータ、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１４１】
上の実施形態に加えて、または上の実施形態に代えて使用できる本発明の第３の実施形態の有利な変形形態によると、プロセッサは、ダウンリンク制御情報から、
好ましくは３ビットの長さを有するＴＤＤ構成フィールドからのＴＤＤ構成、
ＴＤＤ構成が適用されるターゲットセルを識別するターゲットセル識別子であって、好ましくは１〜５ビットの長さを有する、ターゲットセル識別子、
示されたＴＤＤ構成を適用する時点で、ＴＤＤ構成が適用されるセルにおける通信のための移動局のＨＡＲＱプロトコルをリセットするように、またはリセットしないように指示する命令を含み、好ましくは１ビットの長さを有する、ＨＡＲＱ命令、
示されたＴＤＤ構成の有効期間パラメータであって、プロセッサが、示されたＴＤＤ構成を適用する時間長を有効期間パラメータから求めるようにされており、好ましくは１〜２ビットの長さを有し、所定の時間長に関連付けられるインデックスを示す、有効期間パラメータ、
ビット値を有するパディングフィールドであって、移動局が、パディングフィールドのビット値が事前定義されるビット値と同じであるかを判定し、好ましくは１〜３２ビットの長さを有する、パディングフィールド、
示されたＴＤＤ構成を適用する時点で、待ち状態のバッファ状態報告手順を取り消すように、または新しいバッファ状態報告手順をトリガーするように命令する、バッファ状態報告手順命令、
示されたＴＤＤ構成を適用する時点で、待ち状態のスケジューリング要求手順を取り消すように、または新しいスケジューリング要求手順をトリガーするように命令する、スケジューリング要求手順命令、
示されたＴＤＤ構成を適用する時点で、待ち状態のランダムアクセスチャネル手順を取り消すように、または新しいランダムアクセスチャネル手順をトリガーするように命令する、ランダムアクセスチャネル手順命令、
示されたＴＤＤ構成を適用する時点で、待ち状態の電力ヘッドルーム報告を取り消すように、または新しい電力ヘッドルーム報告をトリガーするように命令する、電力ヘッドルーム報告命令、
のうちの少なくとも１つを求める。
【０１４２】
上の実施形態に加えて、または上の実施形態に代えて使用できる本発明の第３の実施形態の有利な変形形態によると、受信器は、受信したダウンリンク制御情報の誤り検出符号を基地局から受信し、ダウンリンク制御情報の誤り検出符号は、基地局によって、システム情報の識別子によってスクランブルされている。事前定義されるシステム情報受信ウィンドウは、特定のシステム情報メッセージに明確に関連付けられている。受信器は、ダウンリンク制御情報と、システム情報の識別子によってスクランブルされた対応する誤り検出符号とを、システム情報受信ウィンドウのうち、システム情報メッセージの設定された周期の結果として基地局がシステム情報を送信するために使用しない１つのシステム情報受信ウィンドウの中で受信する。
【０１４３】
上の実施形態に加えて、または上の実施形態に代えて使用できる本発明の第３の実施形態の有利な変形形態によると、移動局は、デフォルトのＴＤＤ構成を使用するように設定されている。プロセッサは、無線フレームｎ＋ｍに、求めたＴＤＤ構成を適用し、無線フレームｎ＋ｍ＋１に、デフォルトのＴＤＤ構成を適用し、ｍ＞＝１であり、ｎは、ダウンリンク制御情報および誤り検出符号が移動局によって受信される無線フレームに関連付けられる。
【０１４４】
本発明の第３の実施形態は、通信システムにおいて複数の時分割複信（ＴＤＤ）構成のうちの１つを移動局に示す基地局、を提供する。ＴＤＤ構成は、１つまたは複数の無線フレーム内のアップリンクサブフレームと、ダウンリンクサブフレームと、特殊サブフレームとを定義する。基地局のプロセッサは、ＴＤＤ構成を決定する。プロセッサは、ダウンリンク制御情報およびダウンリンク制御情報の対応する誤り検出符号を生成し、ダウンリンク制御情報は、決定されたＴＤＤ構成を示し、ダウンリンク制御情報が複数のＴＤＤ構成のうちの１つを示すことを示す無効なパラメータを含む。基地局の送信器は、生成されたダウンリンク制御情報を移動局に送信する。
【０１４５】
以下では、本発明について、添付の図面を参照しながらさらに詳しく説明する。
【図面の簡単な説明】
【０１４６】
【図１】３ＧＰＰ  ＬＴＥシステムの例示的なアーキテクチャを示している。
【図２】３ＧＰＰ  ＬＴＥのＥ−ＵＴＲＡＮアーキテクチャ全体の例示的な概要を示している。
【図３】３ＧＰＰ  ＬＴＥ（リリース８／９）において定義されているダウンリンクコンポーネントキャリアの例示的なサブフレーム境界を示している。
【図４】３ＧＰＰ  ＬＴＥ（リリース８／９）において定義されているダウンリンクスロットの例示的なダウンリンクリソースグリッドを示している。
【図５】３ＧＰＰによって定義されている１つのダウンリンク制御情報の処理構造を例示的に示している。
【図６】現時点で標準化されている７つのＴＤＤ  ＵＬ／ＤＬ構成０〜６について、それぞれにおける１０個のサブフレームの定義と、スイッチポイント周期を示している。
【図７】５ｍｓのスイッチポイント周期の場合における、２つのハーフフレーム、１０個のサブフレームから構成されている無線フレームの構造を示している。
【図８】図６の現時点で標準化されている７つのＴＤＤ  ＵＬ／ＤＬ構成０〜６と、第１の実施形態による、７つのＴＤＤ−ＲＮＴＩとの例示的な関連付けとを示している。
【図９】本発明の第１の実施形態による、移動局の機能の基本的な流れ図を示している。
【図１０】図６の現時点で標準化されている７つのＴＤＤ  ＵＬ／ＤＬ構成０〜６と、第２および第３の実施形態による、７つのＴＤＤ構成指示情報値との例示的な関連付けとを示している。
【図１１】多数のスモールセルと１つのマクロセルを有するシナリオ（拡張ローカルエリアと称する）を概略的に示している。
【図１２】第２の実施形態による、移動局の機能の基本的な流れ図を示している。
【図１３】第３の実施形態による、移動局の機能の基本的な流れ図を示している。
【図１４】異なるＴＤＤ  ＵＬ／ＤＬ構成を有する２つの無線フレームと、データ送信およびフィードバック送信のいくつかのタイミング関係とを示している。
【発明を実施するための形態】
【０１４７】
以下の段落では、本発明のさまざまな実施形態について説明する。例示のみを目的として、実施形態のほとんどは、３ＧＰＰ  ＬＴＥ（リリース８／９）およびＬＴＥ−Ａ（リリース１０／１１／１２）の移動通信システムによる無線アクセス方式に関連して概説してあり、これらの技術については一部が上の背景技術のセクションに説明してある。なお、本発明は、例えば、上の背景技術のセクションに説明されている３ＧＰＰ  ＬＴＥ−Ａ（リリース１０／１１／１２）の通信システムなどの移動通信システムにおいて有利に使用することができるが、本発明は、この特定の例示的な通信ネットワークにおける使用に限定されないことに留意されたい。
【０１４８】
用語「ＴＤＤ構成」は、現在の標準規格に定義されているＴＤＤアップリンク／ダウンリンク構成を意味し、ＴＤＤ構成は、無線フレームの各サブフレームについて、それらがダウンリンクサブフレームであるか、アップリンクサブフレームであるか、特殊サブフレームであるかを定義する。用語「ＴＤＤ構成インデックス」は、７つの可能なＴＤＤ  ＵＬ／ＤＬ構成のうちの１つにそれぞれ関連付けられる番号（現時点では０〜６）であり、３ＧＰＰの技術規格に定義されている（図６を参照）。
【０１４９】
請求項および本明細書全体を通じて使用されている用語「デフォルトのＴＤＤ構成」は、背景技術のセクションにおいて説明したように、ＳＩＢ１を使用することによってシステムにおいて半静的に設定されるＴＤＤ構成を意味する。言い換えれば、デフォルトのＴＤＤ構成は、システム情報取得／変更手順の従来のメカニズムを使用して基地局の通信領域内のすべてのユーザ機器にブロードキャストされる１つのＴＤＤ構成である。当然ながら、「デフォルトのＴＤＤ構成」は、通信中に変更することもできるが、本発明の場合のように動的ではなく、長期的なサイクルで変更される。
【０１５０】
請求項において誤り検出符号に関連して使用されており、詳細な説明においては主として（誤り検出符号の例としての）ＣＲＣに関連して使用されている用語「スクランブリング」は、例えば識別子を暗黙的に誤り検出符号（ＣＲＣ）に符号化するプロセスを意味する。本出願においては、用語「マスキング」は同じ意味であるものと想定する。
【０１５１】
請求項および説明において使用されている用語「無効なパラメータ」は、無効な値を有し、したがって無効なパラメータであるパラメータとして、広義に理解されたい。
【０１５２】
以下では、本発明のいくつかの実施形態について詳しく説明する。これらの説明は、本発明を制限するものではなく、本発明を深く理解するための本発明の実施形態の単なる例であることを理解されたい。当業者には、請求項に記載されている本発明の一般的な原理を、異なるシナリオに適用できること、または本明細書に明示的に記載されていない方法で適用できることが認識されるであろう。したがって、さまざまな実施形態を説明する目的のために想定されている以下のシナリオは、本発明を制限するものではない。
【０１５３】
本発明において説明されているさまざまな実施形態は、一般的に、ＴＤＤ構成を想定し、特に、ＴＤＤ構成を（ＳＩＢを通じて設定される）デフォルトのＴＤＤ構成からターゲットＴＤＤ構成に動的に変更するための高速メカニズムを導入する。背景技術のセクションにおいて説明したように、従来技術のようにＴＤＤ構成を半静的に再構成する方法は、低速であり手間がかかるため、以下に説明するさまざまな実施形態の１つによる動的なプロセスによって改善する。
【０１５４】
以下の３つの実施形態では、１つまたは複数のセルにおけるＴＤＤ構成の変更を示すため、基地局からのＤＣＩの送信を使用する。ＴＤＤ構成は、この送信に暗黙的に符号化する（第１の実施形態の場合のようにＣＲＣに符号化する）、または、より直接的な方法においては、（第２および第３の実施形態の場合のように）ＤＣＩ部分のパラメータとして、またはＤＣＩによって示されるトランスポートブロックに符号化することができる。
【０１５５】
第１の実施形態
【０１５６】
本発明の実施形態の第１のセットによると、ＴＤＤ構成をＤＣＩのＣＲＣに符号化し、特定の無線セルの基地局からＤＣＩおよびＣＲＣを送信する（通常ではブロードキャストする）。
【０１５７】
この目的のため、例えば基地局または別のネットワークエンティティにおいて、７つの異なるＲＮＴＩを定義し、これら７つの異なるＲＮＴＩそれぞれを、７つのＴＤＤ構成の１つに関連付け、したがって、すべてのＴＤＤ構成０〜６それぞれが異なる１つのＲＮＴＩに関連付けられる。図８は、１つの可能な関連付けを示しており、この場合、ＴＤＤ＿０＿ＲＮＴＩ〜ＴＤＤ＿６＿ＲＮＴＩがＴＤＤ構成に関連付けられている。したがって、必要なＲＮＴＩは、ＴＤＤ構成の数に厳密に限定され、例えば拡張ローカルエリア（ｅＬＡ）シナリオにおけるスモールセルの数には関連しない（後の第２の実施形態を参照）。ＴＤＤ  ＲＮＴＩは、好ましくは１６〜２４ビットの長さであり、自由に選択できるが、１６ビットの場合には１６進表記においてＦＦＥ０〜ＦＦＦＣの範囲から選択されることが好ましく、現在のＭ−ＲＮＴＩ、Ｐ−ＲＮＴＩ、ＳＩ−ＲＮＴＩと同様に指定することができる、または基地局によって決定および設定して、ＲＲＣ構成メッセージまたはシステム情報送信によって移動局に伝えることができる。
【０１５８】
第１の実施形態の１つのバリエーションにおいては（第２および第３の実施形態にも適用される）、７つのＴＤＤ構成すべてを関連付ける必要はない。その場合、７つの異なるＲＮＴＩは必要なく、本発明による動的なＴＤＤ再構成において利用可能とする必要なＴＤＤ構成を区別するのに、例えば４つのＴＤＤ−ＲＮＴＩで十分である。
【０１５９】
ＴＤＤ−ＲＮＴＩとＴＤＤ構成との関連付けは、現在のＭ−ＲＮＴＩ、Ｐ−ＲＮＴＩ、ＳＩ−ＲＮＴＩと同様に指定することができる、または基地局によって決定および設定して、（１つまたは複数の）移動局に（基地局以外のネットワークエンティティがこの決定を行う場合にはさらに（１つまたは複数の）基地局に）伝えることができる。この処理は、さまざまな異なる方法で行うことができ、実際にどの方法を使用かは、本発明が機能するうえで重要ではない。例えば、図８の表の関連付けを、ＲＲＣメッセージまたはシステム情報メッセージを使用して送信することができ、あるいは、接続の確立時に行うことができる。したがって、第１の実施形態による動的なＴＤＤ再構成を実施するために必要な情報を、基地局および移動局の両方が有する。
【０１６０】
基地局は、特定の時点において、デフォルトのＴＤＤ構成が最適ではなく、別のＴＤＤ構成の方がより有利であるものと判断する。この理由として、例えば、トラフィック状況の変化や、類似する状況が挙げられる。したがって、基地局は、（利用可能な残りの６つのＴＤＤ構成のうち）デフォルトのＴＤＤ構成とは異なるターゲットＴＤＤ構成を決定し、以下のように動的なＴＤＤ再構成を実行する。
【０１６１】
基地局は、特定のセルを対象とする新しいＴＤＤ構成を決定した後、（新規のフォーマットの、または公知のフォーマットの、または公知のフォーマットを拡張したフォーマットの（後述する））ＤＣＩを生成し、次いで、生成したＤＣＩの誤り検出符号（３ＧＰＰにおいては誤り検出符号としてＣＲＣが使用される）を計算する。従来技術においては、ＣＲＣは、送信されるＤＣＩの種類に応じて、さまざまなＲＮＴＩのいずれかによってスクランブルされる。この特定の場合には、ＤＣＩのための計算されたＣＲＣを、決定されたターゲットＴＤＤ構成に関連付けられるＴＤＤ−ＲＮＴＩによって（例えばＴＤＤ構成１の場合にはＴＤＤ＿１＿ＲＮＴＩによって）スクランブルする（図８を参照。デフォルトのＴＤＤ構成がＴＤＤ構成１ではない場合）。ＣＲＣとＴＤＤ  ＲＮＴＩの実際のスクランブリングは、３ＧＰＰ  ＬＴＥの場合の例として背景技術のセクションにおいて説明した、この技術分野において一般的に公知である通常の方法において、実行することができる。
【０１６２】
基地局は、ＤＣＩを生成し、ＣＲＣを計算し、ＣＲＣを対応するＴＤＤ  ＲＮＴＩによってスクランブルした後、ＤＣＩと、スクランブルされたＣＲＣとをセル内で送信する。このＤＣＩ／ＣＲＣメッセージは、ＰＤＣＣＨまたはｅＰＨＣＣＨにおいて送信することができ、多くの、またはすべての移動局に再構成について通知する必要がある場合、好ましくは共通のサーチスペースにおいて送信することができる。それ以外の場合、ユーザ機器に固有なサーチスペースにおいて送信する方がより効率的であることがあり、なぜなら、対象の受信者およびその時点における優勢な送信条件に応じて送信パラメータを調整することができるためである。
【０１６３】
この実施形態の一変形形態によると、３ＧＰＰによって定義されており、背景技術のセクションにおいて簡潔に説明した、すでに利用可能なダウンリンク制御情報メッセージの１つを、この目的に再利用する。言い換えれば、基地局は、ＤＣＩフォーマット０、１、１Ａ、１Ｂ、１Ｃ、１Ｄ、２、２Ａ、２Ｂ、２Ｃ、２Ｄ、３、３Ａ、４（本出願の出願時点で定義されているもの、または今後３ＧＰＰによって定義される別のフォーマット）のうちの１つを、その特定のＤＣＩフォーマットメッセージの実際に意図されている目的の代わりに、動的なＴＤＤ再構成のために再利用する。
【０１６４】
例えば、ＤＣＩフォーマット１Ｃメッセージを再利用することができ、フォーマット１Ｃは、利用可能なＤＣＩフォーマットすべてのうち、ビット数が最小である。なお、第２の実施形態および第３の実施形態に関する以下の説明においても、本発明の原理を説明する目的でＤＣＩフォーマット１Ｃを主として使用するが、本発明の目的に別のＤＣＩフォーマットを再利用することもできることに留意されたい。
【０１６５】
ＤＣＩフォーマット１Ｃは、３ＧＰＰにおいては、以下のフィールドを含むように定義されている。
−  リソースブロック割当て（ＲＢＡ）：３〜９ビット（帯域幅に依存）
−  変調・符号化方式（ＭＣＳ）：５ビット
−  ギャップ値指示情報：１ビット（帯域幅が５０ＰＲＢ以上の場合のみ）
【０１６６】
ＤＣＩフォーマット１Ｃの内容に関するさらに詳しい説明については、非特許文献２の５.３.３.１.４章に記載されている（この文献は参照によって本明細書に組み込まれている）。したがって、ＤＣＩフォーマット１Ｃメッセージは、８〜１５ビット長の範囲内とすることができる。
【０１６７】
したがって、ＤＣＩフォーマット１Ｃにおいて本来意図されているように、ＰＤＳＣＨのための割当てを目的とする上記のパラメータを送る代わりに、基地局は、別のパラメータをＤＣＩに含めることができる。この処理は、セルにおける帯域幅に部分的に依存し、なぜなら、ＤＣＩフォーマット１Ｃにおいて利用可能なビット数は帯域幅に依存するためである。ＤＣＩフォーマット１Ｃに含めるこのような別のパラメータとしては、以下のうちの少なくとも１つが挙げられる。
−  ＤＣＩのＣＲＣに暗黙的に符号化されたＴＤＤ構成が適用されるターゲットセルを識別するターゲットセル識別子、
−  新しいＴＤＤ構成を適用する時点でＨＲＡＱプロトコルをリセットまたはリセットしないように移動局に命令するＨＡＲＱ命令、
−  デフォルトのＴＤＤ構成に切り替えるまでＴＤＤ構成が適用される時間長を移動局に示す、符号化されたＴＤＤ構成の有効期間パラメータ、
−  フォールスアラームの危険を低下させるために残りの使用されないビットが有効に利用されるように、ＤＣＩを「埋める」ために使用できる、事前定義されたビット値（仮想ＣＲＣ）を有するパディングフィールド、
−  示されたＴＤＤ構成を適用する時点で、待機中のバッファ状態報告（ＢＳＲ）手順を取り消すように、または新しいバッファ状態報告手順をトリガーするように命令する、バッファ状態報告（ＢＳＲ）手順命令、
−  示されたＴＤＤ構成を適用する時点で、待機中のスケジューリング要求手順（ＳＲ）を取り消すように、または新しいスケジューリング要求手順をトリガーするように命令する、スケジューリング要求（ＳＲ）手順命令、
−  示されたＴＤＤ構成を適用する時点で、待機中のランダムアクセスチャネル（ＲＡＣＨ）手順を取り消すように、または新しいランダムアクセスチャネル手順をトリガーするように命令する、ランダムアクセスチャネル（ＲＡＣＨ）手順命令、
−  示されたＴＤＤ構成を適用する時点で、待機中の電力ヘッドルーム報告（ＰＨＲ）を取り消すように、または新しい電力ヘッドルーム報告をトリガーするように命令する、電力ヘッドルーム報告（ＰＨＲ）命令。
【０１６８】
これらのパラメータについては、上では説明を目的として簡潔に述べただけであるが、後からさらに詳しく説明する。
【０１６９】
このような公知のＤＣＩフォーマットを使用するときには、基地局は、その公知のＤＣＩフォーマットに定義されているパラメータの１つを無効な値に設定し、したがってこの無効なパラメータを「エスケープコードポイント（escape codepoint）」として使用して、無効なパラメータを伝えるＤＣＩが従来の用途ではなくＴＤＤ  ＵＬ／ＤＬ構成の指示情報を伝えることを移動局に示すことも可能である。したがって、ＤＣＩメッセージは、この特定の（無効な）パラメータを従来のＤＣＩメッセージと同様に含むが、このパラメータは無効な値を有する。この無効な値は、基地局および移動局の両方に既知である。例として、すでに標準化されているＤＣＩフォーマット１Ｃを想定すると、リソースブロック割当てパラメータを無効な値（例えばすべてのビット値が「１」である）に設定することができる。
【０１７０】
パラメータまたはパラメータの組合せの無効な値は、一般的には、示されたパラメータにおける予約された状態または相反する要件を表すものとして特徴付けることができる。例えば、リソースブロック割当ての無効な値は、負のインデックスを有する少なくとも１つのリソースブロックが割り当てられる結果となる値、または利用可能なリソースブロックの外側の少なくとも１つのリソースブロックが割り当てられる結果となる値である。無効な値の別の例として、ＴＤＤの場合におけるＨＡＲＱプロセス番号パラメータにおいて、非特許文献８の表７−１に指定されている、ＨＡＲＱプロセスの定義された最大数を超えるＨＡＲＱプロセスを示すＨＡＲＱインデックスが挙げられる。無効なパラメータの組合せの例としては、値が、例えばＤＣＩフォーマット２において利用可能な「プリコーディング情報」における予約状態を表している場合であり、この場合、示されるトランスポートブロックの数に応じて、異なるプリコーディング情報値が「予約済み」として定義されており、非特許文献８の７.１.７.２章に指定されているように、示されるトランスポートブロックの数は、示される変調・符号化方式および冗長バージョンの組合せに依存する。
【０１７１】
リソース割当てタイプ２の場合、ダウンリンク帯域幅６〜１１０ＰＲＢすべての場合において、少なくとも１つのＲＢＡ状態が無効であり、すなわち、すべてのビット値が「１」に設定されているときである。１０個および１３個のＰＲＢの場合、ただ１つの無効な状態（上記の、すべてのビットが「１」の場合）が存在する。６個のＰＲＢの場合、２つの無効なＲＢＡ値が存在する。１５個のＰＲＢの場合、４つの無効なＲＢＡ値が存在する。２５個のＰＲＢの場合、５０の無効なＲＢＡ値が存在する。５０個のＰＲＢの場合、ギャップ１では６２の無効なＲＢＡ値が存在し、ギャップ２では８３の無効なＲＢＡ値が存在する。７５個のＰＲＢの場合、１２０の無効なＲＢＡ値が存在し、１００および１１０個のＰＲＢの場合、２１２の無効なＲＢＡ値が存在する。
【０１７２】
特に、２つ以上の無効な値が存在する帯域幅を有するとき（すなわち１０個および１３個のＰＲＢの場合を除くすべて、しかしながらこのことは実際にはさほど重要ではない）、ＤＣＩのこの無効なパラメータに、その無効なパラメータを伝えるＤＣＩがＴＤＤ  ＵＬ／ＤＬ構成の指示を伝えていることの指示情報以外に、追加の情報を符号化することができる。追加の情報は、上述した別のパラメータのうちの１つ、すなわち、ターゲットセル識別子、ＨＡＲＱ命令、有効期間パラメータ、バッファ状態報告（ＢＳＲ）命令、スケジューリング要求（ＳＲ）命令、ランダムアクセスチャネル（ＲＡＣＨ）命令、電力ヘッドルーム報告（ＰＨＲ）命令のうちの少なくとも１つとすることができる。当然ながら、これらのパラメータの１つが無効なパラメータに符号化される場合、その特定のパラメータをＤＣＩのペイロードに個別に含める必要はない。
【０１７３】
例えば、１５個のＰＲＢの帯域幅、４つの無効なＲＢＡ値の場合を考えると、４つの無効なＲＢＡ値すべては、この無効なＲＢＡ値を伝えるＤＣＩが動的なＴＤＤ構成に関する指示情報を含むことを、移動局に示す。さらに、特定の無効なＲＢＡ値それぞれを１つの異なる有効期間パラメータ（例えば、１０ｍｓ、４０ｍｓ、１００ｍｓ、２００ｍｓ）にさらに関連付ける、あるいは、特定の無効なＲＢＡ値それぞれが、ＴＤＤ構成を適用する異なるターゲットセル（例えば、ＰＣｅｌｌ、ＳＣｅｌｌ１、ＳＣｅｌｌ２、またはＳＣｅｌｌ３）を区別することができる。
【０１７４】
これに代えて、無効なＲＢＡ値のうちの２つを、リセットするように命令するＨＡＲＱ命令に関連付け、残りの２つの無効なＲＢＡ値を、リセットしないように命令するＨＡＲＱ命令に関連付ける。同様の考え方は別の帯域幅の場合にもあてはまり、例えば、ＲＢＡパラメータに対して２つの無効状態のみが利用可能であるときには、追加情報の２つの異なる状態のみを符号化することができ、例えば、ＨＡＲＱ命令や有効期間パラメータ（例えば１０ｍｓおよび４０ｍｓの有効期間を区別する）の場合である。
【０１７５】
公知のＤＣＩフォーマット（フォーマット１Ｃなど）を再利用する方法の代替方法として、公知のＤＣＩフォーマットを拡張することも可能であり、特定の場合にのみ公知のＤＣＩフォーマットを使用し、別の特定の場合には公知のＤＣＩフォーマットの別の「バージョン」を使用する。例えば、公知のＤＣＩフォーマット（フォーマット１Ｃなど）を、特定の無線フレーム、または特定の無線フレーム内のサブフレームにのみ適用可能であるようにし、別の無線フレーム、または特定の無線フレーム内の別のサブフレームにおいては、その公知のＤＣＩフォーマットが動的なＴＤＤ  ＵＬ／ＤＬ再構成に使用されることを定める定義を含めることも可能であり、この場合、そのＤＣＩフォーマットは、「バージョン」に応じて、異なる情報要素を含むことができる。
【０１７６】
上の方法に代えて、動的なＴＤＤ再構成を目的として特に定義されたＤＣＩフォーマット（例えば、すでに定義されているＤＣＩフォーマットとは異なるサイズのフォーマット）を使用することも可能である。この場合、ＤＣＩのビット数は、セルの帯域幅に依存せず、その新規のＤＣＩにおいて送信されるパラメータに応じて自由に定義することができる。例えば、ＤＣＩフォーマット１Ｅを、上にリストしたパラメータ（ターゲットセル識別子、ＨＡＲＱ命令、有効期間パラメータ、パディングフィールド、バッファ状態報告（ＢＳＲ）命令、スケジューリング要求（ＳＲ）命令、ランダムアクセスチャネル（ＲＡＣＨ）命令、電力ヘッドルーム報告（ＰＨＲ）命令）の少なくとも１つを含むように定義することができる。
【０１７７】
要約すると、基地局が、自身のセル内で、ＤＣＩおよびスクランブルされたＣＲＣを送信し、そのセル内の（１つまたは複数の）移動局が、そのＤＣＩおよびスクランブルされたＣＲＣを受信する。この第１の実施形態による、ＤＣＩおよびＣＲＣの処理について、図９に関連して説明する。図９は、本発明の基本的な第１の実施形態の場合における移動局の流れ図を示している。
【０１７８】
移動局は、ＰＤＣＣＨおよびｅＰＤＣＣＨをリスンして、自身を対象とするＤＣＩメッセージを検出する。基地局からのＤＣＩおよびＣＲＣを受信した後、移動局は、ＣＲＣをスクランブルするために使用されたＲＮＴＩを求める。具体的な誤り検出チェックおよびデスクランブリングは、背景技術のセクションにおいて３ＧＰＰ  ＬＴＥの場合について例示的に説明したように、通常の方法で実行することができる。例えば、移動局は、ＤＣＩの誤り検出チェックを、ＣＲＣと、ＤＣＩと、ＤＣＩをスクランブルするのに使用された可能性のあるさまざまな候補の（７つのＴＤＤ  ＲＮＴＩのうちの）識別子とに基づいて、実行する。移動局によって実行されるＣＲＣチェックは、ＲＮＴＩのうちの１つのみに対して成功する。したがって、移動局は、スクランブリングにおいてその特定の１つのＴＤＤ  ＲＮＴＩが使用されたものと判断する。
【０１７９】
次いで、移動局は、例えば図８に定義されているテーブルを参照することによって、求めたＴＤＤ  ＲＮＴＩが関連付けられているＴＤＤ構成を求める。したがって例えば、移動局は、デフォルトのＴＤＤ構成を使用し続ける代わりに、ＴＤＤ構成１に切り替えるものと判断する。
【０１８０】
移動局は、このようにして求めたＴＤＤ構成を、特定の時間にわたり適用する。この時間長は、固定の時間長（例えば１つの無線フレーム、２つの無線フレーム、または４つの無線フレーム）として事前定義することができる。あるいは、例えば、（オプションとして）ＤＣＩペイロードの一部である、または無効なパラメータに符号化されている、前述した有効期間パラメータを使用することによって、この時間長を動的に示すことができる（前述の説明を参照）。いま、移動局が無線フレームｎにおいてＤＣＩ／ＣＲＣ送信を受信したと想定すると、次いで移動局は、これに対応してＤＣＩおよびＣＲＣを処理し、示されたＴＤＤ構成を、ＤＣＩ内の有効期間パラメータに応じて特定の数の無線フレーム（ｎ＋１、ｎ＋２、ｎ＋３など）にわたり、または事前定義された固定の時間長にわたり、適用する。動的に示されたＴＤＤ構成の「有効期間が切れる」と（すなわちそのＴＤＤ構成をもはや適用しない）、移動局は、例えば、動的なＴＤＤ  ＵＬ／ＤＬ再構成のための別のＴＤＤ  ＤＣＩを受信するまで、デフォルトのＴＤＤ構成に切り替える。
【０１８１】
これに代えて、移動局は、別のＴＤＤ再構成を受信するまで、新しいＴＤＤ構成を適用することもできる。言い換えれば、新しいＴＤＤ構成には特定の時間長が指定されず、別のＴＤＤ再構成が指示されるまで新しいＴＤＤ構成が無期限に適用される。
【０１８２】
さらに、移動局は、ＤＣＩにさらなるパラメータが含まれているかに応じて、そのようなパラメータをＤＣＩから求めることができる。例えば、移動局は、ターゲットセル、ＨＡＲＱ命令、有効期間パラメータ、パディングフィールド値、ＢＳＲ命令、ＳＲ命令、ＲＡＣＨ命令、ＰＨＲ命令のうちの少なくとも１つを、ＤＣＩから求めることができる。
【０１８３】
これらの追加のパラメータから得られる情報の使用方法については、後からこれらのパラメータに関連して個別に説明する。
【０１８４】
第１の実施形態のさらなる変形形態によると、ＤＣＩのＣＲＣをＴＤＤ−ＲＮＴＩによってスクランブルし、ただし、この目的のために複数のＴＤＤ−ＲＮＴＩの代わりに１つのみのＴＤＤ−ＲＮＴＩを定義すればよく、この場合、例えば、現時点においてＤＣＩフォーマット１Ａを使用してトランスポートブロックのための物理リソースを割り当てることができるのと同様に、ＤＣＩはトランスポートブロックを送信するための物理リソースを割り当てる。このトランスポートブロックは、例えば本出願の後のセクションにおいて概説するように、ＴＤＤ（再）構成に関する情報およびパラメータを含むＭＡＣメッセージまたはＲＲＣメッセージを表すことができる。言い換えれば、ＤＣＩペイロードを使用して１つまたは複数のＴＤＤ構成パラメータを示す代わりに（またはこれに加えて）、再構成メッセージが送信されていることをＲＮＴＩを使用して識別し、ＤＣＩペイロードは、（１つまたは複数の）ＴＤＤ構成パラメータを伝えるトランスポートブロックに関する情報を与える。
【０１８５】
第２の実施形態
【０１８６】
本発明の第２の実施形態は、上述した第１の実施形態との主たる違いとして、ＴＤＤ  ＵＬ／ＤＬ構成を、ＤＣＩのＣＲＣをスクランブルするために使用されるＲＮＴＩに符号化する代わりに、ＴＤＤ  ＵＬ／ＤＬ構成の指示情報をＤＣＩペイロードに含める。しかしながら、それ以外の細部のほとんどは、第１の実施形態と第２の実施形態とで同じである。
【０１８７】
ＤＣＩにおけるＴＤＤ  ＵＬ／ＤＬ構成の指示情報は、図６の７つの異なるＴＤＤ  ＵＬ／ＤＬ構成を区別する。したがって、特定のＴＤＤ  ＵＬ／ＤＬ構成を示すのに３ビットのフィールドで十分であり、各指示情報値がＴＤＤ構成の１つに関連付けられる。第２の実施形態においても、２ビット（さらには１ビット）のフィールドで十分であるように、７つ未満のＴＤＤ  ＵＬ／ＤＬ構成を区別することも可能である。しかしながら、その場合の欠点として、動的なＴＤＤ構成の柔軟性が低下する。
【０１８８】
３ビットの値とＴＤＤ構成との間の関連付けは、基地局または別のネットワークエンティティによって定義することができる。図１０は、３ビットのＴＤＤ指示情報フィールドを使用したときの、７つすべてのＴＤＤ構成の例示的な関連付けを示している。ＴＤＤ構成の指示情報値と実際のＴＤＤ構成との間の関連付けに関する情報を移動局に通知し、基地局以外のネットワークエンティティが関連付けを決定する場合には、基地局にも通知する。第１の実施形態の場合と同様に、通知手順は、さまざまな方法で行うことができ、例えばＲＲＣメッセージを使用する、システム情報メッセージを使用する、あるいは、接続の確立時に行うことができる。したがって、基地局および移動局の両方が、本発明の動的なＴＤＤ再構成を実施するための必要な情報を有する。
【０１８９】
第１の実施形態の場合と同様に、基地局は、例えば、その時点のトラフィックにはターゲットＴＤＤ構成の方が適するという理由で、ＴＤＤ  ＵＬ／ＤＬ構成をデフォルトのＴＤＤ構成から別のターゲットＴＤＤ構成に変更することを決定する。したがって、基地局は、動的なＴＤＤ再構成を実行することを望み、上述したＴＤＤ  ＵＬ／ＤＬ構成指示情報を含むＤＣＩを生成する。
【０１９０】
したがって、基地局は、動的なＴＤＤ再構成のためのＤＣＩを生成し、このＤＣＩは、基地局が決定したＴＤＤ構成を示すＴＤＤ構成指示情報を含む。さらに、第１の実施形態においてすでに詳しく説明したように、このＤＣＩは、さらなるパラメータ（例えば、ＨＡＲＱ命令、有効期間パラメータ、パディングフィールド、ＢＳＲ命令、ＳＲ命令、ＲＡＣＨ命令、ＰＨＲ命令のうちの少なくとも１つなど）を含むことができる。
【０１９１】
第１の実施形態の場合と同様に、基地局によって生成されるＤＣＩは、３ＧＰＰによって定義されている、すでに利用可能なダウンリンク制御情報メッセージ（例えば、ＤＣＩフォーマット０、１、１Ａ、１Ｂ、１Ｃ、１Ｄ、２、２Ａ、２Ｂ、２Ｃ、２Ｄ、３、３Ａ、４）のうちの１つとすることができる。この場合、基地局は、定義されているＤＣＩフォーマットの通常のパラメータ（例えばフォーマット１Ｃの場合のＲＢＡ、ＭＣＳ、ギャップ値指示情報）を送る代わりに、別のパラメータを含める。上述したように、ＴＤＤ構成指示情報フィールドを含める。
【０１９２】
公知のＤＣＩフォーマットを使用するときには、基地局が、その公知のＤＣＩに対して定義されているパラメータのうちの１つを無効な値に設定することも可能である。無効なパラメータは、その無効なパラメータを伝えるＤＣＩが、ＴＤＤ  ＵＬ／ＤＬ構成指示情報をさらに伝えることを移動局に示す。このことについては、第１の実施形態において詳しく説明してあり、第２の実施形態にも同じ原理が適用されるため、簡潔さのためここでは説明を繰り返さない。詳細については、第１の実施形態の対応する説明部分を参照されたい。
【０１９３】
さらには、無効なパラメータは、ＤＣＩがＴＤＤ  ＵＬ／ＤＬ再構成の指示情報を伝えることを移動局に示すのみならず、その無効なパラメータが、さらなるパラメータ、例えばその特定のＴＤＤ  ＵＬ／ＤＬ再構成の指示情報や、上述した別のパラメータ（ＨＡＲＱ命令、有効期間パラメータ、ＢＳＲ命令、ＳＲ命令、ＲＡＣＨ命令、ＰＨＲ命令）のうちの任意のパラメータを、符号化できることを理解されたい。これは、第１の実施形態における無効なパラメータの使用に極めて似ているが、異なる点として、第１の実施形態における無効なパラメータは、ターゲットセル識別子を符号化できるがＴＤＤ構成の指示情報は符号化できないのに対して、第２の実施形態の場合にはこの逆である。
【０１９４】
公知のＤＣＩフォーマット（フォーマット１Ｃなど）を再利用することに代えて、第１の実施形態においてすでに説明したように、公知のフォーマットを拡張することも可能である。説明の繰り返しを避けるため、第１の実施形態の対応する説明部分を参照されたい。
【０１９５】
さらなる代替方法として、動的なＴＤＤ再構成を目的として特に定義されたＤＣＩフォーマット（例えば、異なるサイズのフォーマット）を使用することも可能である。これに関する詳細についても、第１の実施形態の対応する説明部分を参照されたい。
【０１９６】
基地局は、実際に使用されるＤＣＩフォーマットとは無関係に、かつ、そのＤＣＩがさらなるパラメータを含むか否かにも無関係に、生成したＤＣＩの誤り検出符号を計算する。第２の実施形態によると、次いで、誤り検出符号（ＣＲＣ）を、動的なＴＤＤ再構成が適用される（１つまたは複数の）ターゲットセルを識別するセル識別子によって、スクランブルする。セル識別子は、ＳＣ−ＲＮＴＩやＳｍａｌｌ  Ｃｅｌｌ−ＲＮＴＩとも称する。
【０１９７】
ＣＲＣをスクランブルするためのセル識別子は、ＣＲＣと同じ長さを有する（すなわち１６〜２４ビット長である）ものと想定されるため、多数の異なるセルを区別する目的に特に適しており、したがって、数多くのセルが存在するシナリオにおいて好ましく使用することができる。１６〜２４ビットのセル識別子の値は、単一のセル、またはセルのさまざまなグループに柔軟に関連付けることができる。この利点として、基地局は、単一のセル（例えばＳＣｅｌｌ１）もしくはセルのグループ（例えば隣接するセル、ＳＣｅｌｌ１〜ＳＣｅｌｌ１０）またはその両方に対して、これらに関連付けられる特定のターゲットセル識別子を使用することによって、ＴＤＤ再構成を柔軟に実行することができる。さらに、利用可能なターゲットセル識別子の１つが、すべてのセルをターゲットセルとして識別することもできる。ターゲットセル識別子の値とターゲットセル（グループ）との間の関連付けは、基地局または別のネットワークエンティティにおいて決定することができ、次いで、移動局（および基地局）に通知する必要があり、したがって、基地局および移動局の両方が、第２の実施形態による動的なＴＤＤ再構成のために必要な同じ情報を有する。第１の実施形態の場合と同様に、利用可能なＲＮＴＩ値（１６ビットのＲＮＴＩの場合には６５５３６個の異なる値が利用可能）のすべてを使用することはできず、なぜならいくつかの値は別の目的にすでに予約されているためである。これに代えて、関連付けを、事前定義して標準規格によって確定することができる。
【０１９８】
現在のメカニズム（キャリアインジケータフィールドなど）は、最大で８つの異なるセルをサポートするのみである。しかしながら、ＬＴＥ−Ａｄｖａｎｃｅｄでは、拡張ローカルエリア（ｅＬＡ）がサポートされ、マクロセルのカバレッジ内に数十のスモールセルが存在しうる。図１１は、この状況を概略的に示しており、大きなカバレッジのマクロセルは約８００ＭＨｚで動作しており、その中の小さいカバレッジの多数のセルは約３.４ＧＨｚで動作している。このようなセル配備においては、特に、移動局がマクロセルのカバレッジエリアの中を移動している場合、その移動局は、８つ以上のスモールセルを区別する必要が生じることがあり、多数のスモールセルに対して無線測定を実行して、最も好ましい無線条件のセルを判定する必要がある。
【０１９９】
要約すると、基地局が、ＤＣＩと、ＤＣＩのためのスクランブルされたＣＲＣとを送信し、セル内に位置する移動局が、そのＤＣＩおよびスクランブルされたＣＲＣを受信する。第２の実施形態による、移動局におけるＤＣＩおよびＣＲＣの処理について、図１２を参照しながら説明する。
【０２００】
移動局は、ＰＤＣＣＨおよびｅＰＤＣＣＨをリスンして、自身を対象とするＤＣＩメッセージを検出する。したがって、移動局は、基地局からのＤＣＩおよびＣＲＣを受信し、ＣＲＣをスクランブルするために使用されたＲＮＴＩを求める。具体的な誤り検出チェックおよびデスクランブリングは、背景技術のセクションにおいて３ＧＰＰ  ＬＴＥの場合について例示的に説明したように、通常の方法で実行することができる。例えば、移動局は、ＤＣＩの誤り検出チェックを、ＣＲＣと、ＤＣＩと、ＤＣＩをスクランブルするのに使用された可能性のあるさまざまな候補の識別子とに基づいて、実行する。移動局によって実行されるＣＲＣチェックは、ＲＮＴＩのうちの１つのみに対して成功する。したがって、移動局は、特定のターゲットセル識別子の１つがスクランブリングに使用されたものと判断する。
【０２０１】
ＣＲＣをスクランブルするのにターゲットセル識別子が使用されたことから、移動局は、そのＤＣＩが、動的なＴＤＤ再構成を実行するためのＴＤＤ構成をさらに示していることを推測することができる。したがって、移動局は、次いで、ＤＣＩに符号化されている特定のＴＤＤ構成を、上述した複数の異なる方法のうちの１つによって求める。したがって、移動局は、図１０に示した、ＴＤＤ構成指示情報フィールドの実際の値を読み取り、その値を対応するＴＤＤ構成に関連付けることができ、あるいは、移動局は、無効なパラメータ値を求め、その無効なパラメータ値から、関連付けられているＴＤＤ構成を求めることができる。
【０２０２】
さらに、移動局は、求めたターゲットセル識別子から、符号化されたＴＤＤ構成を適用する対象の特定のターゲットセルまたはセルのグループを求める。移動局は、識別されたターゲットセルに自身が実際に属している場合のみ、ＴＤＤ再構成を適用する。そうでない場合、移動局はＴＤＤ再構成を無視することができる。
【０２０３】
例えば、有効期間パラメータ、ＨＡＲＱ命令、パディングフィールド値、ＢＳＲ命令、ＳＲ命令、ＲＡＣＨ命令、ＰＨＲ命令のうちの少なくとも１つがＤＣＩに含まれている場合、移動局は、これらのさらなるパラメータをＤＣＩペイロードから求めることができる。これらの追加のパラメータから得られる情報の使用方法に関する詳細については、後からこれらのパラメータに関連して個別に説明する。
【０２０４】
次いで、移動局は、このようにして求めたＴＤＤ構成を、特定の時間にわたり適用する。第１の実施形態と同様に、この時間長は、固定の時間長（例えば１つの無線フレーム、２つの無線フレーム、または４つの無線フレーム）として事前定義することができる。あるいは、例えば、（オプションとして）ＤＣＩペイロードに含まれる、または無効なパラメータに符号化されている、前述した有効期間パラメータを使用することによって、この時間長を動的に示すことができる（前述の説明を参照）。いま、移動局が無線フレームｎにおいてＤＣＩ／ＣＲＣ送信を受信したと想定すると、次いで移動局は、これに対応してＤＣＩおよびＣＲＣを処理し、示されたＴＤＤ構成を、ＤＣＩ内の有効期間パラメータに応じて特定の数の無線フレーム（ｎ＋１、ｎ＋２、ｎ＋３など）にわたり、または事前定義された固定の時間長にわたり、適用する。動的に示されたＴＤＤ構成の「有効期間が切れる」と（すなわちそのＴＤＤ構成をもはや適用しない）、移動局は、例えば、動的なＴＤＤ  ＵＬ／ＤＬ再構成のための別のＴＤＤ  ＤＣＩを受信するまで、デフォルトのＴＤＤ構成に切り替える。
【０２０５】
これに代えて、移動局は、別のＴＤＤ再構成を受信するまで、新しいＴＤＤ構成を適用することもできる。言い換えれば、新しいＴＤＤ構成には特定の時間長が指定されず、別のＴＤＤ再構成が指示されるまで新しいＴＤＤ構成が無期限に適用される。
【０２０６】
第２の実施形態の変形形態によると、ＤＣＩのＣＲＣをＳＣ−ＲＮＴＩによってスクランブルし、ＤＣＩは、例えば現時点においてＤＣＩフォーマット１Ａを使用してトランスポートブロックのための物理リソースを割り当てることができるのと同様に、トランスポートブロックを送信するための物理リソースを割り当てる。このトランスポートブロックは、例えば所望のＴＤＤ構成、ターゲットセルインデックス、または本出願の後のセクションにおいて概説する別のパラメータなど、ＴＤＤ（再）構成に関する情報およびパラメータを含むＭＡＣメッセージまたはＲＲＣメッセージを表すことができる。
【０２０７】
第３の実施形態
【０２０８】
本発明の第３の実施形態は、第１の実施形態および第２の実施形態と似ている点として、ＤＣＩ／ＣＲＣの送信を使用することで動的なＴＤＤ  ＵＬ／ＤＬ再構成を処理する。さらには、第２の実施形態に似ている点として、ＴＤＤ  ＵＬ／ＤＬ構成を、ＣＲＣをスクランブルするために使用されるＲＮＴＩに暗黙的に符号化するのではなく、ＤＣＩペイロードに含める。しかしながら、第３の実施形態によると、ＤＣＩのＣＲＣをスクランブルするためにターゲットセル識別子（ＳＣ−ＲＮＴＩ）を使用しない。そうではなく、ＤＣＩがＴＤＤ構成に関する指示情報をさらに含むことを移動局に示すため、ＤＣＩが無効なパラメータを含む。言い換えれば、第１の実施形態および第２の実施形態では無効なパラメータはＤＣＩのオプションのパラメータであると説明したが、第３の実施形態では、無効なパラメータＤＣＩがペイロードに必ず含まれる。
【０２０９】
それ以外については、第１の実施形態および第２の実施形態においてすでに説明した多くの細部が、第３の実施形態においても同じままである。このため、不必要な説明の繰り返しを避けるため、第１の実施形態または第２の実施形態の対応する説明部分を参照されたい。
【０２１０】
第２の実施形態の場合と同様に、ＤＣＩにおけるＴＤＤ  ＵＬ／ＤＬ構成の指示情報は、図６の７つの異なるＴＤＤ  ＵＬ／ＤＬ構成のすべてを区別する、またはこれに代えて、７つ未満のＴＤＤ  ＵＬ／ＤＬ構成を区別する。したがって、ＴＤＤ  ＵＬ／ＤＬ構成の指示情報は、図１０に例示的に示したように定義することができる。説明の反復を避けるため、第２の実施形態における、ＴＤＤ  ＵＬ／ＤＬ構成の指示情報について詳しく説明した部分を参照されたい。ＴＤＤ  ＵＬ／ＤＬ構成の指示情報は、ＤＣＩペイロードに個別のパラメータとして含める、または、前述したように十分な無効な値が利用可能であるとき、無効なパラメータに符号化することができる。いずれの場合も、基地局および移動局は、異なるＴＤＤ構成をＤＣＩを使用して示す方法について共通の認識を有するものとする。
【０２１１】
第１の実施形態および第２の実施形態においてすでに説明したように、基地局は、例えばその時点のトラフィックには別のＴＤＤ  ＵＬ／ＤＬ構成の方が適するという理由で、ＴＤＤ  ＵＬ／ＤＬ構成をデフォルトのＴＤＤ構成から別のＴＤＤ  ＵＬ／ＤＬ構成に変更することを、特定の時点で決定することができる。したがって、基地局は、以下に第３の実施形態に関連して説明するように、動的なＴＤＤ再構成を実行することを望む。
【０２１２】
基地局はＤＣＩを生成し、このＤＣＩは、基地局が決定したＴＤＤ構成を示すためのＴＤＤ構成指示情報を含む。第１の実施形態および第２の実施形態において詳しく説明したように、このＤＣＩは、オプションとしてさらなるパラメータを含むことができる。さらなるパラメータは、この第３の実施形態の場合、ターゲットセル識別子、ＨＡＲＱ命令、有効期間パラメータ、パディングフィールド、ＢＳＲ命令、ＳＲ命令、ＲＡＣＨ命令、ＰＨＲ命令のうちの少なくとも１つである。
【０２１３】
第３の実施形態によるＤＣＩは、無効なパラメータを必ず含むため、基地局によって生成されるＤＣＩは、３ＧＰＰによって定義されている、すでに利用可能なダウンリンク制御情報メッセージ（例えば、ＤＣＩフォーマット０、１、１Ａ、１Ｂ、１Ｃ、１Ｄ、２、２Ａ、２Ｂ、２Ｃ、２Ｄ、３、３Ａ、４）のうちの１つである必要がある。このすでに定義されているＤＣＩメッセージを、ＴＤＤ構成の指示情報を伝える目的に再利用する。
【０２１４】
さらには、無効なパラメータに対していくつかの無効な値が利用可能である場合（特に広い帯域幅の場合）、第１の実施形態および第２の実施形態の場合と同様の方法で、上に挙げたさらなるパラメータのうちの少なくとも１つをその無効なパラメータに符号化することが可能である。
【０２１５】
例えば、ビット数の最も少ないＤＣＩフォーマット１Ｃを使用する場合を想定すると、ＤＣＩフォーマット１Ｃのリソースブロック割当て（ＲＢＡ）パラメータを無効なパラメータとして使用することができ、無効な値に設定することができる。第１の実施形態において詳しく説明したように、ＲＢＡパラメータは、セルにおいて使用される帯域幅に応じて異なる数の無効な値をとりうる。１つの無効な値は、すべての帯域幅において同じであり、すなわちＲＢＡパラメータのすべてのビットが１に設定されているときである。しかしながら、ほとんどの帯域幅に対して、ＲＢＡパラメータはいくつかの無効な値をとることができる。６個のＰＲＢの場合、２つの無効なＲＢＡ値が存在する。１５個のＰＲＢの場合、４つの無効なＲＢＡ値が存在する。２５個のＰＲＢの場合、５０の無効なＲＢＡ値が存在する。５０個のＰＲＢの場合、ギャップ１では６２の無効なＲＢＡ値が存在し、ギャップ２では８３の無効なＲＢＡ値が存在する。７５個のＰＲＢの場合、１２０の無効なＲＢＡ値が存在し、１００および１１０個のＰＲＢの場合、２１２の無効なＲＢＡ値が存在する。
【０２１６】
ＤＣＩのこの無効なパラメータには、無効なパラメータを伝えるそのＤＣＩがＴＤＤ  ＵＬ／ＤＬ構成の指示情報を伝えることの指示情報以外に、追加の情報を符号化することができる。追加の情報は、上に挙げた別のパラメータのうちの１つ、すなわち、ＴＤＤ構成、ターゲットセル識別子、ＨＡＲＱ命令、有効期間パラメータ、ＢＳＲ命令、ＳＲ命令、ＲＡＣＨ命令、ＰＨＲ命令のうちの少なくとも１つとすることができる。当然ながら、上記のパラメータのうちの１つを無効なパラメータに符号化する場合、その特定のパラメータをＤＣＩのペイロードに個別に含める必要はない。
【０２１７】
したがって、第３の実施形態の（さらに実際には第２の実施形態の）一変形形態においては、動的なＴＤＤ再構成のためのＤＣＩフォーマット１Ｃは、無効な値に設定された（ただし特定のＴＤＤ構成を符号化している）ＲＢＡパラメータと、残りのビットのためのパディングフィールドとを含み、パディングフィールドは事前定義された値に設定され、仮想ＣＲＣの役割を果たす。
【０２１８】
基地局は、上述したようにＤＣＩを生成し、生成したＤＣＩの誤り検出符号（ＣＲＣ）を計算する。基地局は、ＣＲＣをＲＮＴＩによってスクランブルし、この場合、どのＲＮＴＩを使用するかは、第３の実施形態が機能するうえで重要ではないが、正常なＤＣＩ送信を伝送エラーに起因して誤って検出する危険性を最小にする目的で、ただ１つのＲＮＴＩ値または制約されたいくつかのＲＮＴＩ値に移動局の動作を限定することが有利である。第３の実施形態の有利な変形形態として、スクランブリングにＳＩ−ＲＮＴＩを使用する場合について、以下に詳しく説明する。
【０２１９】
基地局は、ＤＣＩと、ＤＣＩのためのスクランブルされたＣＲＣとを送信し、セル内に位置する（１つまたは複数の）移動局が、そのＤＣＩおよびスクランブルされたＣＲＣを受信する。第３の実施形態による、移動局によるＤＣＩおよびＣＲＣの処理について、図１３を参照しながら説明する。
【０２２０】
移動局は、ＰＤＣＣＨおよびｅＰＤＣＣＨをリスンして、自身を対象とするＤＣＩメッセージを検出する。したがって、移動局は、基地局からのＤＣＩおよびＣＲＣを受信する。ＣＲＣをデスクランブルし、ＤＣＩの内容を処理する。
【０２２１】
次いで、移動局は、ＤＣＩに無効なパラメータが含まれているかを判定し、含まれている場合、移動局は、そのＤＣＩが従来のＤＣＩではなく、動的なＴＤＤ再構成のために基地局によって使用されており、したがって特定のＴＤＤ構成を示しているものと推測する。次いで、移動局は、ＤＣＩに符号化されている特定のＴＤＤ構成を、上述したさまざまな方法のうちの１つによって求める。すなわち、移動局は、図１０に示した、ＴＤＤ構成フィールドの実際の値を読み取り、その値を対応する構成に関連付けることができる。または、移動局は、無効なパラメータ値を求め、その特定の無効なパラメータ値を対応するＴＤＤ構成に関連付ける。
【０２２２】
さらに、ＤＣＩにさらなるパラメータが含まれているかに応じて、移動局は、ＤＣＩにおける別のパラメータ（例えば、ターゲットセル、有効期間パラメータ、ＨＡＲＱ命令、ＢＳＲ命令、ＳＲ命令、ＲＡＣＨ命令、ＰＨＲ命令）の値を求めることができ、これら別のパラメータは無効なパラメータに符号化されている、またはＤＣＩペイロードに個別のパラメータとして存在する。
【０２２３】
例えば、移動局は、求めたターゲットセル識別子から、符号化されているＴＤＤ構成を適用する対象の特定のターゲットセルまたはセルのグループを求める。移動局は、識別されたターゲットセルに自身が実際に属している場合のみ、ＴＤＤ再構成を適用する。そうでない場合、移動局はＴＤＤ再構成を無視することができる。これらの追加のパラメータから得られる情報の使用方法については、後からこれらのパラメータに関連して個別に説明する。
【０２２４】
次いで、移動局は、このようにして求めたＴＤＤ構成を、特定の時間にわたり適用する。第１の実施形態の場合と同様に、この時間長は、固定の時間長（例えば１つの無線フレーム、２つの無線フレーム、または４つの無線フレーム）として事前定義することができる。あるいは、例えば、（オプションとして）ＤＣＩペイロードに含まれる、または無効なパラメータに符号化されている、前述した有効期間パラメータを使用することによって、この時間長を動的に示すことができる（前述の説明を参照）。いま、移動局が無線フレームｎにおいてＤＣＩ／ＣＲＣ送信を受信したと想定すると、次いで移動局は、これに対応してＤＣＩおよびＣＲＣを処理し、示されたＴＤＤ構成を、ＤＣＩ内の有効期間パラメータに応じて特定の数の無線フレーム（ｎ＋１、ｎ＋２、ｎ＋３など）にわたり、または事前定義された固定の時間長にわたり、適用する。動的に示されたＴＤＤ構成の「有効期間が切れる」と（すなわちそのＴＤＤ構成をもはや適用しない）、移動局は、例えば、動的なＴＤＤ  ＵＬ／ＤＬ再構成のための別のＴＤＤ  ＤＣＩを受信するまで、デフォルトのＴＤＤ構成に切り替える。
【０２２５】
これに代えて、移動局は、別のＴＤＤ再構成を受信するまで、新しいＴＤＤ構成を適用することもできる。言い換えれば、新しいＴＤＤ構成には特定の時間長が指定されず、別のＴＤＤ再構成が指示されるまで新しいＴＤＤ構成が無期限に適用される。
【０２２６】
第３の実施形態の１つの改良された変形形態では、基地局は、ＤＣＩのＣＲＣをシステム情報のＲＮＴＩ（ＳＩ−ＲＮＴＩ）によってスクランブルし、通常では基地局がシステム情報を送るために使用しないＳＩ受信ウィンドウ内で、ＴＤＤ構成を含むＤＣＩを送信する。この変形形態について以下に詳しく説明する。
【０２２７】
従来技術においては、ＭＩＢメッセージおよびＳＩＢ１メッセージの時間領域スケジューリングは、それぞれ４０ｍｓおよび８０ｍｓの周期に固定されている。各ＳＩメッセージは、周期的に発生する定義された時間領域ウィンドウ内で送信され、その一方で、物理層制御シグナリングは、ＳＩが実際にスケジューリングされている、このウィンドウ内のサブフレームを示す。さまざまなＳＩメッセージのスケジューリングウィンドウ（ＳＩ−ウィンドウまたはＳＩ受信ウィンドウと称する）は、連続的であり（すなわちウィンドウ間に重なりおよび隙間が存在しない）、設定可能な共通の長さを有する。ＳＩ−ウィンドウは、ＳＩメッセージを送信することのできないサブフレーム（例えば、ＳＩＢ１に使用されるサブフレーム、ＴＤＤにおけるアップリンクに使用されるサブフレーム）を含むことができる。
【０２２８】
ＳＩメッセージは、さまざまな周期を有することができる。結果として、ＳＩ−ウィンドウのいくつかのクラスタにおいては、すべてのＳＩメッセージがスケジューリングされる一方で、別のクラスタにおいては、反復周期の短いＳＩメッセージのみが送信される。一例として、前に定義された周期に応じて、システムフレーム番号（ＳＦＮ）０から始まるＳＩ−ウィンドウのクラスタに、すべてのＳＩメッセージが含まれ、別のシステムフレーム番号（ＳＦＮ）から始まるクラスタに、最初のＳＩメッセージのみが含まれることがある。ＳＩ−ウィンドウに関するさらに詳細な説明については、技術規格または非特許文献３の３.２.２章および３.２.２.１章を参照されたい（この文書は参照によって本明細書に組み込まれている）。
【０２２９】
結果として、特定の周期によっては（特に、長い反復周期／サイクルの場合）、ＳＩが送信されないＳＩ−ウィンドウが存在し、したがってこれらのＳＩ−ウィンドウは、システム情報を送信するのに基地局によって使用されない。このことを利用することができる。
【０２３０】
第３の実施形態の一変形形態においては、基地局は、ＣＲＣをＳＩ−ＲＮＴＩによってスクランブルしたＤＣＩを、使用されないＳＩ−ウィンドウの１つにおいて送信する。移動局は、この特定のＳＩ−ウィンドウがシステム情報の送信に使用されないことをあらかじめ認識しており、なぜなら移動局もＳＩメッセージの周期を認識しているためである。したがって、移動局は、ＳＩメッセージ（すなわちＣＲＣがＳＩ−ＲＮＴＩによってスクランブルされているＴＤＤ  ＤＣＩ）を受信したとき、そのメッセージが従来のＳＩメッセージではないことを認識する。したがって、移動局は、通常ではＳＩメッセージの送信のために基地局によって使用されないはずのＳＩ−ウィンドウ内で受信されたこのＳＩメッセージは、ＴＤＤ構成のメッセージに違いないと認識する。さらに、移動局は、ＤＣＩペイロードが無効なパラメータを含むかを判定することによって、このことを確認することができる。
【０２３１】
第３の実施形態のさらなる変形形態においては、通常ではＳＩメッセージの送信のために基地局によって使用されないＳＩ−ウィンドウ内で送信されうるＳＩメッセージを検出する負担を移動局から軽減する目的で、「ＴＤＤ−ＤＣＩ受信ウィンドウ」を定義する。ＴＤＤ−ＤＣＩ受信ウィンドウとは、移動局がＴＤＤ−ＤＣＩメッセージを予期すべき場所を、特定のサブフレームもしくは無線フレームまたはその両方に制約するウィンドウであると理解されたい。言い換えれば、（必ずしも必須ではないが隣接する）サブフレームもしくは無線フレームまたはその両方の、好ましくは周期的パターンを、ＴＤＤ−ＤＣＩ受信ウィンドウ（または同等のパターン）として定義し、基地局はこのウィンドウ内でＴＤＤ−ＤＣＩメッセージを送信することができ、移動局はこのウィンドウ内で受信および検出するのみでよい。
【０２３２】
このようなウィンドウは、一般的には、説明した実施形態のいずれにおいても、使用するＳＩ−ＲＮＴＩとは無関係に使用することができる。以下では、例示を目的として、ＴＤＤ−ＤＣＩ受信ウィンドウを使用し、ＤＣＩのＣＲＣをＳＩ−ＲＮＴＩを使用してスクランブルする状況について説明する。上述したように、ユーザ機器は、設定されているＳＩの周期の関数として、ＳＩメッセージの送信に使用されないＳＩ−ウィンドウ内でＤＣＩが検出された場合、検出されたＤＣＩがＴＤＤ  ＤＣＩであることを認識することができる。したがって、このような使用されないＳＩ−ウィンドウを、程度の差はあるが頻繁に発生させることができる。したがって、（ＴＤＤ  ＤＣＩを送信できるより多くの機会を作成する目的で）ＴＤＤ−ＤＣＩ受信ウィンドウを定義することは有利であり得る。あるサブフレームが、使用されているＳＩ−ウィンドウの一部であり、かつ、ＴＤＤ−ＤＣＩ受信ウィンドウの一部である場合、移動局は、ＳＩ−ＲＮＴＩによってスクランブルされたＣＲＣを有する正常に検出されたＤＣＩがＴＤＤ−ＤＣＩであり、ＳＩ送信を示す目的に使用されていないものと認識することが好ましい。これに代えて、このような状況において、移動局は、ＤＣＩ内に無効なパラメータが検出される場合、そのようなＤＣＩをＴＤＤ−ＤＣＩと解釈し、そうでない場合、ＳＩ送信を示すＤＣＩと解釈する。
【０２３３】
第３の実施形態の変形形態によると、ＤＣＩのＣＲＣをＳＩ−ＲＮＴＩによってスクランブルする。移動局は、このようなＤＣＩを、使用されないＳＩ−ウィンドウ内で、もしくは、ＴＤＤ−ＤＣＩ受信ウィンドウの一部として指定されているサブフレーム内で、またはその両方において検出した場合、そのＤＣＩがＴＤＤ構成のメッセージを目的としていることを認識する。この変形形態においては、例えば現時点においてＤＣＩフォーマット１Ａを使用してトランスポートブロックのための物理リソースを割り当てることができるのと同様に、ＤＣＩは、トランスポートブロックを送信するための物理リソースを割り当てる。この場合、このトランスポートブロックは、例えばＴＤＤ構成のインデックスや、本出願の後のセクションに概説されているさらなるパラメータなど、ＴＤＤ（再）構成に関する情報およびパラメータを含むＭＡＣメッセージまたはＲＲＣメッセージを表すことができる。したがって、ＤＣＩメッセージの中のＴＤＤ指示情報の代わりに（またはこれに加えて）、ＤＣＩメッセージによって示されるトランスポートブロックがＴＤＤ指示情報を含む。
【０２３４】
さらなるパラメータ
【０２３５】
上に説明した第１の実施形態、第２の実施形態、および第３の実施形態では、動的なＴＤＤ  ＵＬ／ＤＬ再構成のために使用されるダウンリンク制御情報に、ＤＣＩの個別のパラメータとして、または無効なパラメータに符号化されたパラメータとして、さらなるパラメータを含めることができることを説明した。これらのパラメータについては簡潔に説明しただけであるため、以下ではさらに詳しく説明する。
【０２３６】
ターゲットセル識別子
【０２３７】
この用語自体から明らかであるように、この識別子は、ＤＣＩ／ＣＲＣによって送信されるＴＤＤ  ＵＬ／ＤＬ構成を適用する特定のセルを識別する。しかしながら、このパラメータは、ＤＣＩにおいて使用されるパラメータとするべきであり、第２の実施形態において説明したようにＤＣＩのＣＲＣをスクランブルするために使用されるパラメータとは異なるパラメータとすることができる。例えば、スクランブリングに使用されるＳＣ−ＲＮＴＩは１６ビットであるが、ＤＣＩペイロードに含めるターゲットセル識別子は、任意の適切なサイズとすることができる。
【０２３８】
１つのセルにおいて、動的なＴＤＤ  ＵＬ／ＤＬ再構成のメッセージを送信し、そのＴＤＤ  ＵＬ／ＤＬ再構成が別のセルにおいて適用されるというシナリオが考えられる。これは、例えば、上述した拡張ローカルエリア（ｅＬＡ）のシナリオの場合である。特に、ＴＤＤ構成がＳＣｅｌｌを対象とするときには、動的なＴＤＤ再構成をＰＣｅｌｌにおいて送信することが好ましい。
【０２３９】
システム内の異なるセルの数によっては、さまざまなセルを区別するためにターゲットセル識別子に必要なビットは数個のみである。
【０２４０】
ターゲットセル識別子は、さまざまな方法で実装することができる。例えば、３ＧＰＰリリース８によって定義されている物理セル識別情報（非特許文献１におけるＰＣＩＤ、非特許文献７におけるＰｈｙｓＣｅｌｌＩｄ）を使用することができ、ＰＣＩＤはインデックスを直接指す。これに代えて、現時点においてＳＣｅｌｌの追加および変更に使用されているナンバリング（パラメータＳＣｅｌｌＩｎｄｅｘ、ｓＣｅｌｌＴｏＡｄｄＭｏｄＬｉｓｔ、ＳＣｅｌｌＴｏＡｄｄＭｏｄ−ｒ１０、例えば非特許文献７の５.３.１０.３ｂ節および他の節を参照）を直接使用することができ、あるいは、ターゲットセル識別子とターゲットセルとの間の新規の関係を確立することができる。
【０２４１】
ターゲットセル識別子を実装する別の方法においては、３ビットのキャリアインジケータフィールド（ＣＩＦ）を使用する。キャリアインジケータフィールド（ＣＩＦ）は、通常ではクロスキャリアスケジューリングを目的としており、スケジューリングの対象のキャリアを識別する。したがって、キャリアインジケータフィールド（ＣＩＦ）は、別のキャリアを識別することができ、したがって、移動局は、ＤＣＩによって受信したＴＤＤ構成を適用するセル（キャリア）を求めることができる。この場合、ＳＣｅｌｌの追加および変更の手順と同様に、ナンバリングおよび関係を再利用することが好ましい（非特許文献７の５.３.１０.３ｂ節、およびこの文献の別の節に記載されているパラメータＳＣｅｌｌＩｎｄｅｘ、ｓＣｅｌｌＴｏＡｄｄＭｏｄＬｉｓｔ、ＳＣｅｌｌＴｏＡｄｄＭｏｄ−ｒ１０）。
【０２４２】
ターゲットセル識別子のさらに別のオプションは、３ＧＰＰリリース１０の協調マルチポイント（ＣｏＭＰ）法に類似する。物理セル識別子を指す代わりに、ターゲットセル識別子は、ＣＲＳポートやＣＳＩ−ＲＳリソース、非特許文献１の６.１０.１節および６.１０.５節に指定されているリソース、非特許文献９における情報要素ＣＳＩ−ＲＳ−Ｃｏｎｆｉｇに指定されるリソースなど、１つまたは複数の基準シンボルリソースまたは設定を指す。
【０２４３】
ターゲットセル識別子のさらに別のオプションは、ターゲットセル識別子とターゲットセルとの間の新規の関係を確立することである。
【０２４４】
したがって、移動局は、ＤＣＩに含まれているこのターゲットセル識別子からターゲットセルを求める。
【０２４５】
有効期間パラメータ
【０２４６】
背景技術のセクションにおいて説明したように、例えばＭＡＣやＲＲＣに基づく別のＴＤＤ再構成方法と比較して、本発明のＤＣＩ／ＣＲＣによるＴＤＤ再構成は、１０ｍｓのオーダーである。当然ながら、動的なＴＤＤ再構成の指示情報の有効期間を、１無線フレームのみとすることもできる。しかしながら、この場合には大きなオーバーヘッドが要求され、なぜなら同じＴＤＤ再構成メッセージを１０ｍｓ毎に送信する必要があるためである。
【０２４７】
別の解決策によると、ＴＤＤ再構成が有効であるべき時間長を示す有効期間パラメータをＤＣＩに含めることができる。有効期間パラメータは、さまざまな方法で実装することができ、さまざまなビット長を有することができる。
【０２４８】
１ビットのみの有効期間パラメータを使用すると、ＴＤＤ構成が有効である２つの期間（例えば１０ｍｓおよび４０ｍｓ、すなわち１無線フレームおよび４無線フレーム）を区別することができる。１無線フレームは、そのような動的なＴＤＤ  ＵＬ／ＤＬ再構成における最も短い妥当な有効時間であるものと考えられる。４無線フレームは、ＭＢＳＦＮ（マルチキャスト・ブロードキャスト単一周波数ネットワーク）の間隔に等しい。当然ながら、１０ｍｓおよび４０ｍｓ以外の時間値（例えば１００ｍｓまたは２００ｍｓなど）を定義することもできる。２００ｍｓ（すなわち２０無線フレーム）は、ＴＤＤ再構成のためのＲＲＣ時間スケールに等しい。したがって、ＰＨＹ層（すなわちＤＣＩ／ＣＲＣ）およびＭＡＣ／ＲＲＣ層を使用するときのＴＤＤ再構成の時間スケールの間の隙間を、迅速に再構成する能力を失うことなく閉じることができる。
【０２４９】
当然ながら、有効期間パラメータに１ビットより多くのビット（すなわち２ビット以上）を使用すると、より柔軟なＴＤＤ再構成を行うことができる。
【０２５０】
したがって、移動局は、ＤＣＩ／ＣＲＣによって示される動的なＴＤＤ構成が適用される時間長を求める。
【０２５１】
ＨＡＲＱ命令
【０２５２】
新しいＴＤＤ構成を適用する時点でＨＡＲＱプロトコルをリセットするように、またはリセットしないように移動局に命令するＨＡＲＱ命令は、ＴＤＤ構成を変更することに起因する問題に関連し、以下ではこれについて図１４を参照しながら説明する。
【０２５３】
説明を目的として、図１４においては、無線フレームｎにＴＤＤ  ＵＬ／ＤＬ構成＃３が適用され、次の無線フレームｎ＋１にＴＤＤ  ＵＬ／ＤＬ構成＃５が適用されるものと想定する。図示したように、サブフレーム３，４がアップリンクからダウンリンクに変更される。したがって、非特許文献８の７節（表７−１を含む）、８節、８.３節（表８.３−１を含む）、および１０節（下位節、特に１０.２節を含む）に記載されているように、ＴＤＤ  ＵＬ／ＤＬサブフレームを再構成するとき、アップリンクＨＡＲＱのＨＡＲＱプロセスの数やタイミング関係が変化することがある。ＨＡＲＱプロセスの数が少ない場合、ユーザ機器は、どのプロセスを継続するかと、以前のどのＰＤＣＣＨがＮＤＩ（新規データインジケータ）トグリングの基準であるかを認識できない。以下では、これらの結果としての問題点のいくつかについてさらに詳しく説明する。
【０２５４】
無線フレームｎのサブフレーム７，８，９において受信されるＰＤＳＣＨに対するＨＡＲＱ手順は、曖昧性を示している。これらのサブフレーム７，８，９における想定されるＰＤＳＣＨ送信に対するＡＣＫ／ＮＡＣＫフィードバックは、もはや正しく実行することができず、なせなら、無線フレームｎ＋１のサブフレーム３，４において、ＡＣＫ／ＮＡＣＫフィードバックを含むＰＵＣＣＨをもはや送ることができないためである。
【０２５５】
ＨＡＲＱパラメータは、ＴＤＤ  ＵＬ／ＤＬ再構成を適用する時点で移動局におけるＨＡＲＱ挙動を設定することができる。
【０２５６】
第１のオプションは、ＨＡＲＱ命令によって、ＨＡＲＱプロトコルの完全なリセットを命令することであり、したがって、以降のすべての送信によって新しいトランスポートブロックがトリガーされる。このとき暗黙的に、ＨＡＲＱバッファがフラッシュされる（すなわち削除される）。利点として、ＨＡＲＱバッファの破壊（コラプション）（corruption）を回避することができる。
【０２５７】
この第１のオプションは、以下の手順によって指定することができる。すべてのアップリンクＨＡＲＱプロセスの新規データインジケータ（ＮＤＩ）を値０に設定する。すべてのダウンリンクＨＡＲＱプロセスのソフトバッファをフラッシュする。ダウンリンクＨＡＲＱプロセスそれぞれについて、トランスポートブロックに関する次の受信される送信を、最初の送信とみなす。
【０２５８】
ＨＡＲＱ命令パラメータの第２のオプションは、ＨＡＲＱプロトコルをリセットしないことである。したがって、ＨＡＲＱバッファは、実行全体を通じて最適化できるようにＴＤＤ  ＵＬ／ＤＬ再構成をまたいでＨＡＲＱプロトコルの継続が可能であるように維持される。このオプションは、古いＴＤＤ構成によるほとんどのＨＡＲＱプロセスがＴＤＤ再構成の時点で正常に完了する場合、有利である。
【０２５９】
したがって、第１のオプションと第２のオプションとの間のトレードオフ（妥協点）が存在し、基地局は、２つのうちの一方にＨＡＲＱ命令を設定することができる。この好ましいケースにおいては、１ビットのＨＡＲＱ命令フィールドで十分である。
【０２６０】
したがって、移動局は、ＨＡＲＱプロセスに関する自身の挙動を、このパラメータから決定する。
【０２６１】
パディングフィールド
【０２６２】
移動局および基地局に既知である事前定義された値を有するパディングフィールドをＤＣＩに挿入することができ、移動局は、パディングフィールドが事前定義された値をとるかを判定することができる。所定の値を有するパディングフィールドがＤＣＩに含まれる場合、移動局は、受信したＤＣＩがＴＤＤ  ＵＬ／ＤＬ再構成を確かに伝えているものと判断することができる。したがって、移動局は、ＤＣＩがＴＤＤ  ＵＬ／ＤＬ構成を伝えていることを、ＴＤＤ  ＲＮＴＩ（第１の実施形態）、ＳＣ−ＲＮＴＩ（第２の実施形態）、またはＤＣＩ内の無効なパラメータ（第３の実施形態）によって判定できるのみならず、パディングフィールドによってもう一度判定することができる。
【０２６３】
パディングフィールド以外のパラメータに使用されないＤＣＩの残りのビットを利用する目的で、パディングフィールドは、３ＧＰＰフォーマット（フォーマット１Ｃなど）のＤＣＩに含めることが好ましい。したがって、パディングフィールドは、１〜３２ビットの長さを有することができる。特定のサイズのＤＣＩを使用するとき、ＤＣＩに含める特定の追加のパラメータを決定して設定した後に、それ以外の目的に使用されないビットが残ることがしばしばある。したがって、これらのビットも利用するためにパディングフィールドを使用する。
【０２６４】
決定されたビット値を有するこのようなパディングフィールドは、当業者には「仮想ＣＲＣ」という用語で称されることもある。
【０２６５】
したがって、移動局は、パディングフィールドの値を事前定義された値と比較することで、そのパディングフィールドを含むＤＣＩが、動的なＴＤＤ再構成を伝えることを確かに意図していることを認識することができる。
【０２６６】
バッファ状態報告（ＢＳＲ）
【０２６７】
移動局から基地局へのバッファ状態報告（ＢＳＲ）は、アップリンクリソースの割当てを支援するために使用される。一般的には、移動局におけるバッファに入っているデータ量が多いほど、その移動局に、アップリンク送信のためのリソースをより多く割り当てる、またはリソースをより頻繁に割り当てる必要がある。詳しい説明は、非特許文献３の４.４.２.２章に記載されている。
【０２６８】
ＢＳＲの報告はＭＡＣ機能であり、このことは、物理層における対応するトランスポートブロックに対して、場合によっては再送信を伴うＨＡＲＱ手順が実行されることを意味する。ＢＳＲは、いくつかの状況下でトリガーすることができ、そのうちの１つとして、「ｐｅｒｉｏｄｉｃＢＳＲ」タイマーが切れることが挙げられる。詳しい説明は、非特許文献３の４.４.２.２章に記載されている（この文書は参照によって本明細書に組み込まれている）。
【０２６９】
前述したように、ＴＤＤ再構成を適用すると、ＨＡＲＱプロトコルの状態に関して、移動局と基地局との間で曖昧性または混乱が生じることがある。したがって、ＢＳＲを送信する場合には、ＢＳＲがＴＤＤ再構成の後のアップリンク（再）送信の一部である場合、解釈の相違が生じうる。したがって、移動局は、ＢＳＲ手順をリセットするべきかを知らせるパラメータを受信することができ、この場合に移動局は、以下の１つまたは複数を実行する必要がある。
−  待ち状態のＢＳＲの（再）送信を取り消す、または再起動する
−  「ｐｅｒｉｏｄｉｃＢＳＲ」タイマーをリセット／再起動する
−  「ｒｅｔｘＢＳＲ」タイマーをリセット／再起動する
【０２７０】
スケジューリング要求（ＳＲ）手順およびランダムアクセスチャネル（ＲＡＣＨ）手順
【０２７１】
移動局は、ＢＳＲを送信しようとするときに、ＢＳＲを送信するための利用可能なアップリンクリソースが存在しない、または十分ではない場合、ＰＵＣＣＨによって、またはランダムアクセスチャネル（ＲＡＣＨ）手順を使用することによって、スケジューリング要求（ＳＲ）を基地局に送信することができる。詳しい説明は、非特許文献３の４.４.２.２章に記載されている（この文書は参照によって本明細書に組み込まれている）。受信したＰＤＳＣＨ送信に対するＰＵＣＣＨを送信することができるタイミングは、図１４に示したように一般的にＴＤＤ再構成によって影響され、さらには、ＲＡＣＨ手順全体を完了するための利用可能なＤＬおよびＵＬ送信機会の位置および回数が変化することに起因して、ＲＡＣＨ手順が１つの無線フレームを超えることがある（すなわちＴＤＤ再構成によって影響されうる）ため、新しいＴＤＤ構成を適用した後にはスケジューリング要求（ＳＲ）手順もしくはランダムアクセスチャネル（ＲＡＣＨ）手順またはその両方を取り消すかまたは新たに再起動するべきであることを移動局に伝えることが、誤りに対してより安全であり得る。
【０２７２】
電力ヘッドルーム報告（ＰＨＲ）
【０２７３】
電力ヘッドルーム報告（ＰＨＲ）は、バッファ状態報告（ＢＳＲ）と同様に、移動局のアップリンク送信電力を管理するために使用される。基地局は、ＰＨＲを使用することで、移動局が現時点よりもさらに使用することのできる、サブフレームあたりのアップリンク帯域幅を求めることができる。詳しい説明は、非特許文献３の１８.３.３章に記載されている（この文書は参照によって本明細書に組み込まれている）。
【０２７４】
サブフレームあたりの利用可能なアップリンク送信電力は、割り当てられるアップリンク帯域幅に分配する必要があるため、これは電力ヘッドルーム報告（ＰＨＲ）と等価である。ＰＨＲがトリガーされるのは、例えば、前回のＰＨＲ以降に推定経路損失の大きな変化が検出されたとき、または前回のＰＨＲ以降に、設定されている時間が経過したとき（「ＰＨＲ禁止タイマー」）、または設定されている数以上のＴＰＣコマンドが移動局によって実行されたときである。
【０２７５】
ＰＨＲは、ＢＳＲと同様に、割り当てられたアップリンクリソースにおいてＭＡＣ情報として送信され、したがって、ＰＨＲ手順はＴＤＤ再構成によって影響され得る。したがって、ＴＤＤ再構成時には以下の１つまたは複数を行うべきであることを、追加のパラメータによって移動局に伝えることができる。
−  待ち状態のＰＨＲ報告を取り消す
−  新しいＰＨＲ報告をトリガーする
−  ＰＨＲ禁止タイマーをリセット／再起動する
−  ＴＰＣコマンドカウンタをリセットする、または所定の値に設定する
【０２７６】
本発明のハードウェアおよびソフトウェア実装
【０２７７】
本発明の他の実施形態は、ハードウェアおよびソフトウェアを用いて、上記したさまざまな実施形態を実施することに関する。これに関連して、本発明は、ユーザ機器（移動端末）およびｅＮｏｄｅＢ（基地局）を提供する。ユーザ機器は、本発明の方法を実行するようにされている。
【０２７８】
本発明のさまざまな実施形態は、コンピューティングデバイス（プロセッサ）を使用して実施または実行され得るものとさらに認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、または、その他プログラマブルロジックデバイスなどである。本発明のさまざまな実施形態は、これらのデバイスの組合せによっても実行または具体化することができる。
【０２７９】
さらに、本発明のさまざまな実施形態は、ソフトウェアモジュールによって実施することもできる。これらのソフトウェアモジュールは、プロセッサによって実行され、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納することができる。
【０２８０】
さらには、本発明の複数の異なる実施形態の個々の特徴は、個々に、または任意の組合せにおいて、別の発明の主題とすることができることに留意されたい。
【０２８１】
具体的な実施形態において示した本発明には、広義に記載されている本発明の概念または範囲から逸脱することなく、さまざまな変更もしくは修正またはその両方を行うことができることが、当業者には理解されるであろう。したがって、本明細書に示した実施形態は、あらゆる点において例示的であり、本発明を制限するものではないものとみなされる。
【図１】
2018085774.tif 000011
【図２】
2018085774.tif 000012
【図３】
2018085774.tif 000013
【図４】
2018085774.tif 000014
【図５】
2018085774.tif 000015
【図６】
2018085774.tif 000016
【図７】
2018085774.tif 000017
【図８】
2018085774.tif 000018
【図９】
2018085774.tif 000019
【図１０】
2018085774.tif 000020
【図１１】
2018085774.tif 000021
【図１２】
2018085774.tif 000022
【図１３】
2018085774.tif 000023
【図１４】
2018085774.tif 000024